(57)【要約】  水性懸濁媒体中に分散した、少なくとも１つの香料含有アミノプラストコアシェル型マイクロカプセルを含む、カプセル封入された香料組成物であって、マイクロカプセルは、それが正電荷を保有する点で特徴付けられる。【特許請求の範囲】
【請求項１】
懸濁媒体中に分散した、少なくとも１つのアミノプラストコアシェル型マイクロカプセルを含む、カプセル封入された香料組成物であって、少なくとも１つのマイクロカプセルが、アミノプラスト樹脂の架橋ネットワークを含むシェル中にカプセル封入された香料含有コアを含み、ここで少なくとも１つのマイクロカプセルが、正に荷電されている、前記カプセル封入された香料組成物。
【請求項２】
少なくとも１つのアミノプラストコアシェル型マイクロカプセルが、カチオン性堆積助剤で被覆されていない、請求項１に記載のカプセル封入された香料組成物。
【請求項３】
＋５０ｍＶ＋／−５ｍＶのゼータ電位を有する、請求項１または２に記載のカプセル封入された香料組成物。
【請求項４】
アミノプラスト樹脂の架橋ネットワーク内に分散しているのが、正に荷電されたポリマーコロイド安定剤である、請求項１〜３のいずれか一項に記載のカプセル封入された香料組成物。
【請求項５】
正に荷電されたポリマーコロイド安定剤が、多原子カチオンを保有する両性のポリマーである、請求項４に記載のカプセル封入された香料組成物。
【請求項６】
カチオン単位が、四級アンモニウムイオン官能性を保有するモノマーから誘導され、該モノマーが、アクリルアミド、アクリル、ビニル、アリルまたはマレイン、より特定的には四級化ジメチルアミノエチルアクリレート（ＡＤＡＭＥ）、四級化ジメチルアミノエチルメタクリレート（ＭＡＤＡＭＥ）、ジメチルジアリルアンモニウムクロリド（ＤＡＤＭＡＣ）、アクリルアミドプロピルトリメチルアンモニウムクロリド（ＡＰＴＡＣ）およびメタクリルアミドプロピルトリメチルアンモニウムクロリド（ＭＡＰＴＡＣ）から選択される、請求項５に記載のカプセル封入された香料組成物。
【請求項７】
正に荷電されたポリマーコロイド安定剤が、アクリル酸、ＭＡＰＴＡＣモノマーおよびアクリルアミドのターポリマーである、請求項４〜６のいずれか一項に記載のカプセル封入された香料組成物。
【請求項８】
懸濁媒体が、カチオン性懸濁助剤を含む水性媒体である、請求項１〜７のいずれか一項に記載のカプセル封入された香料組成物。
【請求項９】
カプセル封入された香料組成物が、約１２００ＢｏｈｒＢｏｈｒ３より大きい、より特定的には約１５４０Ｂｏｈｒ３より大きい、および尚より特定的には約１７５０Ｂｏｈｒ３より大きい、既知のRECON_VOLTAE値を有する区分の香料成分を含有する、請求項１〜８のいずれか一項に記載のカプセル封入された香料組成物。
【請求項１０】
パーソナルケア製品、家庭用ケア製品または布用仕上げ製品中に組み込まれている、請求項１〜９のいずれか一項に記載のカプセル封入された香料組成物。
【請求項１１】
請求項１〜１０のいずれか一項に記載のカプセル封入された香料組成物を含有している、パーソナルケア製品、家庭用ケア製品または布用仕上げ製品。
【請求項１２】
請求項１〜１０のいずれか一項において定義されたとおりのカプセル封入された香料組成物を形成する方法であって、該方法が、正に荷電されたポリマーコロイド安定剤の存在下、懸濁媒体中で少なくとも１つの香料含有小滴の分散体を形成すること、およびその後、架橋アミノプラスト樹脂のカプセル封入させるシェルを、該少なくとも１つの小滴の周囲に形成させること、というステップを含む、前記方法。
【請求項１３】
以下のステップ：−
ａ）正に荷電されたポリマーコロイド安定剤、シェルを形成するメラミンホルムアルデヒド前縮合物および任意に架橋剤を含む水相を提供すること；
ｂ）カプセル封入されるべき香料成分を含む油相を提供すること；
ｃ）水相および油相を反応器中で混合することで、水性外部相中に分散した香料成分の小滴を含むエマルションを形成すること；
ｄ）反応器内のｐＨおよび温度を調整することで、小滴周囲のコアセルベーションおよびシェル形成を開始させ、それによってコアシェル型マイクロカプセルを形成すること；および
ｅ）反応器内の温度を調整することで、架橋を開始させ、および該コアシェル型カプセルのシェルを固化させ、その後冷却して、スラリーの形態でカプセル封入された香料組成物を形成すること
を含む、請求項１２に記載の方法。
【請求項１４】
スラリーが、カチオン性懸濁剤を含む、請求項１３に記載の方法。
【請求項１５】
請求項１〜１０のいずれか一項において定義されたとおりのカプセル封入された香料組成物を消費者製品中に組み込ませる方法であって、方法が、請求項１２〜１４のいずれか一項に記載の方法に従って形成されたカプセル封入された香料組成物を提供すること、およびスラリーを消費者製品中に混合すること、というステップを含む、前記方法。
【請求項１６】
カプセル封入された香料組成物中のマイクロカプセルのＤ５０が、５〜５０ミクロン、より特定的には５〜２０ミクロンであり、および消費者製品中に組み込まれたマイクロカプセルのＤ５０が、５〜５０ミクロン、より特定的には５〜２０ミクロンである、請求項１５に記載の方法。
【請求項１７】
請求項１２〜１４のいずれか一項に記載のプロセスによって得られる、カプセル封入された香料組成物。
【発明の詳細な説明】
【技術分野】
【０００１】
本発明の分野
本発明は、懸濁媒体に懸濁した少なくとも１種の正に荷電された香料含有アミノプラスト(aminoplast)コアシェル型マイクロカプセル(core-shell microcapsule)を含む、カプセル封入された香料組成物；該組成物を消費者製品(consumer products)中に組み込ませる方法、および該組成物を含有する家庭用ケア製品、ランドリーケア製品およびパーソナルケア製品(household care, laundry care and personal care products)を包含する消費者製品に関係する。
【背景技術】
【０００２】
本発明の背景
家庭用ケア製品、パーソナルケア製品および布用仕上げ製品(fabric care products)を包含する消費者製品中にカプセル封入された香料組成物を採用することが、知られている。香料組成物は、様々な理由からカプセル封入される。カプセル封入は、香料成分を、これらが非相溶または不安定であり得る消費者製品の基剤(bases)などの外部の懸濁媒体から隔離し保護される。マイクロカプセルはまた、香料成分が、皮膚、毛髪、布または硬い日用品の表面(hard household surfaces)などの基体(substrates)上に堆積する効率を増大させるためにも使用され得、ならびに香料の時空間放出を制御する手段としても作用し得る。      
【０００３】
アミノプラストマイクロカプセルは、香料組成物のために最も一般的に使用されているカプセル封入媒体の一つである。先行技術において十分に文書化されている、アミノプラストマイクロカプセルを形成するプロセスは、確立されている。典型的には、最初のステップにおいて、水性連続相中に分散した香料含有油小滴からなる水中油滴型エマルションが、形成される。その後、エマルション中に含有される、シェルを形成するアミノ−アルデヒド前縮合物が、香料含有小滴の周囲にカプセル封入ポリマーシェルを形成させられることで、コアシェル型マイクロカプセルが形成される。
【０００４】
試薬および反応条件は、アミノ−アルデヒド前縮合物が、重縮合および架橋を受けることで、ポリマーシェルを迅速に油小滴の周囲に形成され、それによってすべての、または実質的にすべての香料成分が小滴内に保持され、マイクロカプセルからのカプセル封入された香料成分のその後の漏出が防止されるように選択される。シェルが迅速に形成することができない場合、マイクロカプセルの形成が不可能なことがあり、またはマイクロカプセルを形成され得る場合、それらは、乏しい香料保持によって特徴付けられ得、凝集の傾向があり得る。
【０００５】
マイクロカプセル形成中にポリマーをコロイド安定剤として採用することは、標準となっている。ポリマーは、何通りかに機能する：これらは、安定な水中油滴型エマルションが生成されることを確実にする；これらは、前縮合物および架橋剤が、油−水界面にて高濃度で存在することを確実にする；および、これらは、前縮合物および架橋剤が反応して、カプセル封入ポリマーシェルがその周囲に形成され得る鋳型を提供する。
【０００６】
アミノプラストマイクロカプセルの調製に採用されるコロイド安定剤は、アニオン性または非イオン性のポリマーである。例えばUS 8,119,587を参照。特に有効なコロイド安定剤は、スルホネート基を担持する、アクリル酸ベースのコポリマーである。これらのコポリマーの例は、LUPASOL PA 140またはLUPASOL VFRなどのLUPASOL（ex BASF）という商標で市販されている。これらの商業的なポリマーは、例示的なコロイド安定剤であり、それは、商業的なアミノプラストマイクロカプセル組成物の調製において広く採用されている。これらのポリマー安定剤を使用して形成された、カプセル封入された香料組成物は、保存中の香料保持と、基体上に堆積した際の香料性能との間の良好なバランスを呈する。
【０００７】
上に記載されたプロセスによって調製されたアミノプラストマイクロカプセルは、典型的には、好適な懸濁媒体に懸濁した複数のマイクロカプセルを含むスラリーの形態で採集される。次にマイクロカプセルスラリーは、適用において直接使用されてもよく、またはそれ自体知られているやり方でさらに処理されてもよい。例えば、アミノプラストマイクロカプセルを、これらに正味の正電荷を提供するために、カチオン性の水溶性ポリマーで、後にコーティングすることは標準となっており、そのコーティングの目的は、堆積助剤としての機能を果たし、マイクロカプセルの、関心のある基体（布であろうと、ケラチン性の基体（毛髪(hair)または皮膚など）であろうと）への親和性を増大させることであり、それによってそれら表面上のカプセル封入された香料成分の持続性が増大される。
【０００８】
アミノプラストマイクロカプセルは、それらが高度に安定である、すなわちそれらが、マイクロカプセル形成中およびその後の保存中にそれらのコア内の香料を効率的に保持することができるので、香料組成物をカプセル封入する極めて評判の良い手段の代表である。さらに、それらはまた、消費者製品の基剤へ直接、純粋な(neat)香料を適用することにより得がたい消費者製品へも、香料類の利点(perfumery benefits)をもたらし得る。
【０００９】
しかしながら、カプセル封入された香料組成物が、顧客がこれらの組成物を好ましく知覚するために、消費者製品において漏出安定性および香料の利点を与えるべきであることが期待されている一方、それらはまた、使用するのが容易でなければならず、すなわちそれらは、顧客にとって、扱い、保存し、輸送するなどが容易であるべきである。より特定的に、それらは、消費者製品の基剤と相溶性があり、ならびにその中へ容易かつ安価に組み込まれるべきである。顧客が、これらのタスクを容易にかつコスト効率良く実施することができない場合、カプセル封入された香料組成物は、好ましく受け入れられないであろう。
【００１０】
アミノプラストマイクロカプセルのスラリーの形態にあるカプセル封入された香料組成物の開発中に、本出願人は、スラリーを、消費者製品の基剤、より特定的にカチオン性界面活性剤を含有する消費者製品の基剤、最も顕著には布用ソフナーまたは布用柔軟剤の基剤(fabric softener or fabric conditioner bases)およびヘアコンディショナーの基剤(hair conditioner bases)の中に組み込むことを試みる際に問題に出くわした。より特定的には、スラリーをカチオン性の基剤中に組み込むことを試みる際に、マイクロカプセルは、希釈および／または激しく撹拌することで分散することができなかった目障りかつ憂慮すべき凝集体を形成して、凝集することが観察された。
【００１１】
本出願人は、この組み込みの問題に対処することに着手し、驚くべきことに、標準となったアニオン性のスルホネート含有ポリマー安定剤を、コロイド安定剤として、多原子カチオンを担持する代替ポリマーで置き換えると、基体上に堆積した際、優れた香料の利点を提供する安定なマイクロカプセルスラリーを形成することが可能とあったのみならず、スラリーを、消費者製品の基剤、特に、凝集の問題のいかなる兆候も伴わずに布用柔軟剤およびヘアコンディショナーにおいて使用されるカチオン性の基剤中に組み込むこともまた可能とあったことを見出した。
【００１２】
本出願人はまた、コロイド安定剤が、マイクロカプセル形成中に連続相中へ実質的に洗い流されることが予想され得るが、十分な量のそれが、マイクロカプセルシェル中に保持され、包埋されていたことが、驚くべきことに見出した。これによって、マイクロカプセルをカチオン性の堆積助剤で、標準となった、後のコーティング(post-coating)を行うことを必要としない基体に対して、マイクロカプセルが、高い親和性を呈することを確実にするのに十分な正電荷を担持することが、マイクロカプセルに見出された。
【発明の概要】
【００１３】
本発明の概要
懸濁媒体中に分散した、少なくとも１つのアミノプラストコアシェル型マイクロカプセルを含む、カプセル封入された香料組成物であって、アミノプラストマイクロカプセルは、アミノプラスト樹脂(an aminoplast resin)の架橋ネットワークを含むシェル中にカプセル封入された香料含有コアを含み、ここでマイクロカプセルは、正に荷電されている。
【００１４】
懸濁媒体中に分散した、少なくとも１つのアミノプラストコアシェル型マイクロカプセルを含む、カプセル封入された香料組成物であって、アミノプラストマイクロカプセルは、アミノプラスト樹脂の架橋ネットワークを含むシェル中にカプセル封入された香料含有コアを含み、および正電荷を担持するポリマーコロイド安定剤がある該樹脂ネットワーク内に分散している。
【００１５】
本明細書の上に記載されているとおり、正電荷を担持するポリマーの、懸濁媒体中に分散した、少なくとも１つのアミノプラストコアシェル型マイクロカプセルを含む、カプセル封入された香料組成物の調製における、コロイド安定剤としての使用。
【００１６】
本明細書の上に記載されたとおりのカプセル封入された香料組成物を調製する方法であって、該方法は、正に荷電されたポリマーコロイド安定剤の存在下で懸濁媒体中の少なくとも１つの香料含有小滴の分散体を形成すること、およびその後、架橋アミノプラスト樹脂のカプセル封入させるシェルを、該少なくとも１つの小滴の周囲に形成させること、というステップを含む。
【００１７】
本明細書中に記載されたとおりのカプセル封入された香料組成物を、消費者製品、特に、布用柔軟剤またはヘアコンディショナーなどのカチオン性の消費者製品の基剤の中へ組み込む方法であって、カプセル封入された香料組成物を、本明細書中に述べられた方法に従って形成すること、およびカプセル封入された香料組成物を消費者製品中へ混合すること、というステップを含む。
【発明を実施するための形態】
【００１８】
本発明の詳細な記載
香料含有コアシェルマイクロカプセルが、香料成分がそれらのコアから、および外部の懸濁媒体中に漏出する傾向があり、特に外部媒体が界面活性剤を含む場合そうであり、本発明のカプセル封入された香料組成物が良好な香料保持を示すことは、当該技術分野において周知である。特に、本発明のカプセル封入された香料組成物は、摂氏３７度で１８カ月の期間にわたって水性スラリーとして保存した後に、５０％より大きい、６０％より大きい、７０％より大きい、およびより特定的に８０％より大きい全カプセル封入された香料を保持することができる。さらに、本発明のカプセル封入された香料組成物は、摂氏３７度で４週間の期間にわたって布用柔軟剤の基剤に懸濁させた後に、５０％より大きい、６０％より大きい、７０％より大きい、およびより特定的に８０％より大きい全カプセル封入された香料を保持することができる。
【００１９】
良好な漏出安定性に加えて、本発明のカプセル封入された香料組成物はまた、望ましい香料類の利点を、それを組み込む消費者製品にもたらす。
【００２０】
カプセル封入された香料組成物が消費者製品に対してもたらし得る香料類の利点は、基体、例として布、毛髪または皮膚が摩擦される場合に知覚される香料強度（つまり摩擦後の性能）の点から測定可能である。これは、持続性および保持された香料性能を示す。基体、例えば皮膚および毛髪、ならびに布、例えば綿、綿との混紡、ビスコース、絹および羊毛上のアミノプラストコアシェル型マイクロカプセルの持続性は、先行技術において、カチオン性の堆積助剤、例えば既知のカチオン性に荷電したポリマーのいずれかのコーティングを、マイクロカプセル壁に、典型的には後のコーティングステップにおいて適用することによって対処される。後のコーティングは基体表面のためのマイクロカプセルの親和性を増大させ、したがって香料持続性を増大させる点で利点を提供することができるが、余分なプロセスステップおよび品物のコストによって、製造のコストが追加される。さらに、それらで正味の正電荷を与える前に、カチオンのポリマーが負に荷電したマイクロカプセルを中和することが最初に必要であるので、相対的に大量のカチオン性ポリマーを後のコーティングステップにおいて使用することが必要であり得る。
【００２１】
マイクロカプセルをカチオン性の堆積助剤で、後にコーティングすることもまた複雑であり、マイクロカプセルがその香料を放出する割合に対するその効果は予測不能であり得る。特に、後のコーティングの有効性および堆積の質は、堆積助剤の微妙な界面化学との互換性に依存するであろう。マイクロカプセル表面は、カチオン性ポリマーについて懸濁媒体と競合し、それは、界面活性剤および他の荷電した材料の複雑な混合物を含んでもよい。そのため、後のコーティングは、部分的であるに過ぎないかまたは完全であり得、後のコーティングの厚さにおけるあらゆる可変性は、香料が放出される速度に影響し得る。尚さらに、コーティングの範囲および厚さはまた、それがマイクロカプセルの表面に固定され続けることではなく周囲の懸濁媒体中にはげ落ちるに伴って時間とともに変化し得る。
【００２２】
本発明のカプセル封入された香料組成物において、コロイド安定剤として作用する正に荷電されたポリマーを、シェル形成中にシェル中に包埋し、後のコーティングと異なり、シェルから分離されることに対して耐久性である。この効果は、マイクロカプセルが、実質的に長時間にわたって安定であり、外部の懸濁媒体の性質に対して実質的に感受性でない正電荷を保持するということである。
【００２３】
本発明の特別の特徴は、カプセル封入された香料組成物が、それらが正に荷電されたマイクロカプセルを含むことを特徴とし、それが、マイクロカプセルを例えば後のコーティングステップの間にカチオン性の堆積助剤でコーティングすることを必要とせずにカチオン性であることである。
【００２４】
したがって、本発明の態様において、本明細書中に記載したカプセル封入された香料組成物を形成する方法であって、前記方法が、正に荷電されたポリマーコロイド安定剤の存在下で懸濁媒体中で少なくとも１つの香料含有小滴の分散体を形成し、その後、架橋アミノプラストのカプセル封入シェルが前記少なくとも１つの小滴の周囲に形成させるステップを含む、前記方法を提供する。
【００２５】
当然、正味の正電荷をマイクロカプセルに対して付与するためにコロイド安定剤を使用することは、後のコーティングによってマイクロカプセルを被覆する必要性を回避する利点を有し、堆積助剤で後にコーティングしない本明細書中に記載したカプセル封入された香料組成物は、本発明の好ましい側面を形成し、当業者は、それが任意の目的をそのように望む場合、カプセル封入された香料組成物マイクロカプセルをカチオン性の堆積助剤で後にコーティングすることができる。
【００２６】
本発明の態様において、アミノプラストの架橋ネットワークを含むシェル中にカプセル封入された香料含有コアを含む、懸濁媒体中に分散した少なくとも１つの正に荷電されたアミノプラストコアシェル型マイクロカプセルを含む、カプセル封入された香料組成物を提供し、かつここで前記少なくとも１つのマイクロカプセルを、カチオン性の堆積助剤でコーティングしない。
【００２７】
本発明のカプセル封入された香料組成物は、マイクロカプセルが正のゼータ電位を有する、すなわちマイクロカプセルが正味の正電荷を担持することを特徴とする。
より特定的な態様において、正のゼータ電位は、２５ｍＶ以上であり得る。
【００２８】
尚より特定的な態様において、カプセル封入された香料組成物は、マイクロカプセルが５０ｍＶ＋／−５ｍＶより高いゼータ電位を有することを特徴とする。
５０ｍＶは、一般にマイクロカプセル、特にアミノプラストマイクロカプセルに対してやや高いゼータ電位を表し、それは、マイクロカプセルが凝集に対して耐久性があり得る程度を示す。
【００２９】
ゼータ電位は、当該技術分野において周知の用語である。それは、特定の測定手法によって測定されるように、懸濁液においてあらゆる電気的に荷電した対象、例えばマイクロカプセルによって生成した明白な静電ポテンシャルを記載するために使用する用語である。ゼータ電位の理論的基礎および実際的な関連の詳細な議論は、例えば「Zeta Potential in Colloid Sciences」 （Robert. J. Hunter; Academic Press, London 1981, 1988）中に見出され得る。対象のゼータ電位を、対象の表面からある距離で測定し、表面自体での静電ポテンシャルとは一般に等しくなく、これより低い。しかしながら、その値は、溶液中に存在する他の対象、例えば界面活性剤、高分子電解質および表面との電的相互作用を確立するための対象の能力の好適な手段を提供する。
【００３０】
ゼータ電位を測定するための方法および装置は、当該技術分野において周知である。本場合において、本出願人は、マイクロカプセルのゼータ電位を、位相解析光散乱法によって、Zetasizer Nano Z機器（Malvern）を使用して測定した。
マイクロカプセルのゼータ電位を、水性緩衝液中でｐＨ７で測定した。好適な緩衝液系は、ＫＨ２ＰＯ４／Ｎａ２ＨＰＯ４の水溶液である。測定のより詳細な記載を、以下の例において提供する。
【００３１】
ゼータ電位の測定によって、正に荷電されたコロイド安定剤が、どれくらいしっかりとマイクロカプセルのアミノプラストシェル内に捕獲されるように見えるかの指標が提供され得る。例えば、本出願人は、マイクロカプセルの懸濁液のゼータ電位を測定し、それらをろ過し、それらを洗浄し、ゼータ電位測定を繰り返す前にそれらを再構成し、洗浄前および洗浄後のゼータ電位が５０ｍＶ＋／−５ｍＶで著しく一定のままであったことが見出された。
【００３２】
正に荷電されたポリマーがカプセル封入された香料組成物の調製においてコロイド安定剤として作用し、またマイクロカプセル上の十分な正味の正電荷を付与して、基体へのそれらの親和性を増強し、摩擦後の性能を改善することができ、カチオン性の堆積助剤でのカプセルの、標準となった、後のコーティング処理を使用することが必要ではなかったので、その使用はまた、製造プロセスを単純化したことは、全く単に驚くべきではなかった。
【００３３】
尚さらに、摩擦後の性能に加えて、ますます、顧客は、基体にいかなる機械的な力（つまり擦ること）をも適用する必要のない香料強度（いわゆる「摩擦前」の性能）を捜している。顧客は、シャンプーおよび他のパーソナルクレンジング組成物と同様に消費者製品に布用の洗剤および柔軟剤において特に望ましい新鮮味を前もって与えるとして摩擦前の性能を知覚する。正に荷電されたポリマーのカプセル封入された香料組成物の形成におけるコロイド安定剤としての使用によっては、摩擦前の香料の衝撃は少なくとも低減されず、ある場合にはそれを改善した。
【００３４】
コロイド安定剤の使用は、アミノプラストコアシェル型マイクロカプセルの調製において重要である。それは、シェルの質を制御するのに役立ち、前記質は今度は、使用におけるマイクロカプセルの安定性という香料の性能と直接的な関係を有するであろう。上に述べたように、アニオンのコロイド安定剤を使用することは標準となっており、実際に、スルホネート官能化アクリルポリマーをベースとした高性能のアニオン性コロイド安定剤は、LUPASOL PA 140またはLUPASOL VFR（共にex BASF）商標で市販されている。
【００３５】
したがって、これらの高性能かつ標準となったアニオン性材料を本発明において使用する正に荷電されたコロイド安定剤で置き換え、尚良好な摩擦後の香料強度のみならず、良好な摩擦前の強度をもまた示すカプセル封入された香料組成物を生産することができたことは、まったく驚くべきことであった。実際に、本発明のカプセル封入された香料組成物を含有する消費者製品は、アニオン性アミノプラストマイクロカプセルと比較して、望ましい香料類の利点を、消費者製品の適用のすべての段階（例として湿潤段階、摩擦前および摩擦後）にて与えることができる。
【００３６】
本発明を実践するにあたって、コロイド安定剤として使用する正に荷電されたポリマーは、多原子カチオンを保有する両性ポリマー、こより特定的には多原子カチオンを保有する両性コポリマーであってもよい。
本発明の態様において、コロイド安定剤は、１〜９９ｍｏｌ％のカチオン単位；および１〜９９ｍｏｌ％の、アニオンを形成し得る単位、を含む両性コポリマーである。
【００３７】
より特定的な態様において、コポリマーは、１〜９９ｍｏｌ％のカチオン単位；および１〜９９ｍｏｌ％の、アニオンを形成し得る単位、を含むターポリマーであってもよい。より特定的には尚、ターポリマーは、１〜９９ｍｏｌ％のカチオン単位；１〜９９ｍｏｌ％の、アニオンを形成し得る単位；および０〜５０ｍｏｌ％の非イオン単位、を含む。
【００３８】
本発明の態様において、コロイド安定剤は、２〜９９ｍｏｌ％、尚より特定的には３０〜９５ｍｏｌ％、より特定的には尚６０〜９０ｍｏｌ％のカチオン単位；および１〜９８ｍｏｌ％、より特定的には５〜７０ｍｏｌ％、尚より特定的には１０〜４０ｍｏｌ％の、アニオンを形成し得る単位；および０〜５０ｍｏｌ％、より特定的には０．１〜５ｍｏｌ％の非イオン単位を含む両性コポリマーである。
【００３９】
「単位」とは、ポリマーの２価の部分を意味し、これは、特定のモノマーの反応から誘導され、したがってカチオン単位は、カチオン性モノマーから誘導され、アニオンを形成し得る単位は、アニオン形態で存在し得る官能基を含有するモノマーから誘導され、非イオン単位は、非イオン性モノマーから誘導される。
【００４０】
本発明の態様において、両性のポリマーは、これがアニオンを形成し得る単位を含有するより多くのカチオン単位を含有し、これ自体でこれが正味の正電荷を有することを特徴とする。
本発明の態様において、多原子のカチオンは、ｐＨ非依存性である。
本発明の態様において、多原子のカチオンは、四級アンモニウム基によって提供される。
【００４１】
本発明の態様において、カチオン単位は、四級アンモニウムイオン官能性を保有するモノマーから誘導され、前記モノマーは、アクリルアミド、アクリル、ビニル、アリルまたはマレインから選択される。特に、および限定されない方法において、カチオン性モノマーは、好ましくは、四級化ジメチルアミノエチルアクリレート（ＡＤＡＭＥ）、四級化ジメチルアミノエチルメタクリレート（ＭＡＤＡＭＥ）、ジメチルジアリルアンモニウムクロリド（ＤＡＤＭＡＣ）、アクリルアミドプロピルトリメチルアンモニウムクロリド（ＡＰＴＡＣ）およびメタクリルアミドプロピルトリメチルアンモニウムクロリド（ＭＡＰＴＡＣ）からなる群から選択される。最も好ましいカチオン性モノマーは、ＭＡＰＴＡＣである。
【００４２】
本発明の態様において、アニオンを形成し得る単位は、アクリルベースのモノマーからなる群から選択されるモノマーから誘導され、アクリル酸、メタクリル酸、イタコン酸、クロトン酸、マレイン酸、フマル酸および強酸モノマー、例えばスルホンまたはホスホン酸タイプ官能を有するモノマー、例えば２−アクリルアミド−２−メチルプロパンスルホン酸、ビニルスルホン酸、ビニルホスホン酸、アリルスルホン酸、アリルホスホン酸、スチレンスルホン酸を包含する。アクリルベースのモノマーはまた、これらのモノマーのいずれの水溶性塩でもあり得る；ここで塩は、アルカリ金属、アルカリ土類金属またはアンモニウムの塩である。最も好ましいアクリルベースのモノマーは、アクリル酸、メタクリル酸またはその水溶性塩である。
【００４３】
本発明の態様において、非イオン単位は、水溶性ビニルモノマー、およびより特定的にはアクリルアミド、メタクリルアミド、Ｎ−イソプロピルアクリルアミド、ＮＮ−ジメチルアクリルアミド、Ｎ−メチロールアクリルアミドからなる群から選択される非イオン性モノマーから誘導される。Ｎ−ビニルホルムアミド、Ｎ−ビニルアセトアミド、Ｎ−ビニルピリジンおよび／またはＮ−ビニルピロリドンもまた、使用することができる。好ましい非イオン性モノマーは、アクリルアミドである。
【００４４】
特定の態様において、コロイド安定剤は、四級アンモニウム基を含有するカチオン性モノマー；およびアニオンを形成し得るモノマー、より特定的にはアクリル酸、メタクリル酸またはその誘導体をベースとしたモノマーから形成される両性コポリマーである。
【００４５】
より特定的な態様において、両性のコポリマーは、アクリル酸またはメタクリル酸、およびアクリルアミドプロピルトリメチルアンモニウムクロリド（ＡＰＴＡＣ）またはメタクリルアミドプロピルトリメチルアンモニウムクロリド（ＭＡＰＴＡＣ）のコポリマーである。
尚より特定的な態様において、両性のコポリマーは、アクリル酸モノマー、ＭＡＰＴＡＣモノマーおよびアクリルアミドモノマーから形成されるターポリマーである。
【００４６】
より好ましい態様において、アクリル酸／ＭＡＰＴＡＣコポリマー、より特定的にはターポリマーは、１〜２モル当量のアクリル酸モノマーを４モル当量のＭＡＰＴＡＣモノマーと、より特定的には１モル当量のアクリル酸モノマーを４モル当量のＭＡＰＴＡＣモノマーに対して、および尚より特定的には１．６モル当量のアクリル酸モノマーを４モル当量のＭＡＰＴＡＣモノマーに対して、反応させることにより形成する。
【００４７】
本発明の態様において、コポリマーは、少なくとも１００，０００ｇ／ｍｏｌの、より特定的には少なくとも５００，０００ｇ／ｍｏｌの分子量を有する。
本発明によるカプセル封入された香料組成物において使用してもよい両性ポリマーの量は、組成物の重量に基づいて１〜２０ｗｔ％、より特定的には２〜１０ｗｔ％であり得る。
【００４８】
両性ポリマーを、当業者に周知の重合手法を使用して調製することができる。これらの既知の重合手法は、溶液重合；ゲル重合；沈殿重合；逆エマルション重合；水性エマルション重合；懸濁重合；およびミセル重合を包含する。
【００４９】
両性ポリマーは、少なくとも１種の構造化剤(structuring agent)によって構造化することができ、それは、ポリエチレン系不飽和モノマー（少なくとも２つの不飽和官能基、例えばビニル、アリルおよびアクリルを有する）、ならびにエポキシ官能基を有する化合物を含む群から選択され得る。例えば、かかる構造化剤は、メチレンビスアクリルアミド（ＭＢＡ）、トリアリルアミンおよびポリエチレングリコールジアクリレートを包含する。あるいはまた、マクロ開始剤(macro intiators)、例えばポリペルオキシド、ポリアゾ化合物およびポリトランスファー剤(polytransfer agent)、例えばポリメルカプタンポリマーを、使用してもよい。
【００５０】
本発明の別の側面は、カプセル封入された香料組成物を調製する方法に関する。
マイクロカプセルは、シェルを形成する材料を香料含有油小滴の周囲で重縮合させてアミノプラストシェルを形成する際に形成し、それを、好適な架橋剤で架橋させることができる。
【００５１】
好適な、シェルを形成する材料は、当該技術分野において周知である。特に有用な、シェルを形成する材料は、当該技術分野において知られているアミノ−アルデヒド前縮合物のいずれかである。アミノ−アルデヒド前縮合物は、反応生成物、例えば少なくとも１種のアミン、例えば尿素、チオ尿素、アルキル尿素、６−置換−２，４−ジアミノ−１，３，５−トリアジン、例えばベンゾグアナミンまたはグリコールウリル、およびメラミン；ならびに少なくとも１種のアルデヒド、例えばホルムアルデヒド、アセトアルデヒド、グリオキサールまたはグルタルアルデヒドのポリマーまたはコポリマーであり得る。
【００５２】
好ましい態様において、メラミン−ホルムアルデヒド前縮合物を、アミノプラストマイクロカプセルの形成において使用する。メラミン−ホルムアルデヒド前縮合物は、メチロール化メラミンを生成するためのメラミンのホルムアルデヒドとの反応によって生成する。メチロール化メラミンをまた、メタノールで処置して、メトキシメチル化メチロールメラミンを形成してもよい。
【００５３】
アミノプラスト樹脂シェルの調製において使用するための好適な架橋剤は、脂肪族、芳香族またはポリマーポリオールである。好適なポリオールは、フェノール、３，５−ジヒドロキシトルエン、ビスフェノールＡ、レゾルシノール、ヒドロキノン、キシレノール、ポリヒドロキシナフタレン、およびセルロースおよびフミン酸の分解によって生成されたポリフェノールからなる群から選択され得る。好適な脂肪族ポリオールの例は、２，２−ジメチル−１，３−プロパンジオール、１，１，１−トリス−（ヒドロキシメチル）−プロパン、ペンタエリスリトール、ソルビトール、糖などを包含するが、これらには限定されない。
【００５４】
架橋剤の使用によって、マイクロカプセル安定性が改善され、香料保持が増大し、漏出による香料の損失が低減される。
特に好ましい架橋剤は、レゾルシノールである。レゾルシノールを、アルデヒド、例えばホルムアルデヒドと反応させて、様々な置換の程度を有するメチロール化レゾルシノールの混合物を形成してもよい。
【００５５】
アミノプラスト樹脂シェルは、相互に結合した複雑な構造を有し、これは、アミノアルデヒド縮合物および架橋剤縮合物を含有すると考えられる。これらの縮合物の相対量は、あらゆる重縮合反応において使用する前縮合物および架橋剤の量によって決定されるであろう。
【００５６】
シェルを形成する材料および架橋剤は、US 8,119,587に開示されており、、参照によって本明細書中に組み込まれる。
本発明によるカプセル封入された香料組成物は、典型的には重縮合のプロセスによって形成する。
【００５７】
香料成分を、前縮合物、安定化ポリマー、界面活性剤、架橋剤などの様々な混合物を含有する水相中に、カプセルシェルの形成に先立って分散させるようにカプセル封入することが必要であることは、カプセル封入プロセスの共通の特徴である。これらの成分を、一緒に混合し、いずれの順序において水相中に分散させてもよい。しかしながら、本発明に従って、乳化ステップは、本明細書中に記載した正に荷電されたポリマーコロイド安定剤の存在下で試みられる。
【００５８】
本発明の態様において、カプセル封入プロセスは、香料油の水中油エマルションを、中〜高せん断の下、コロイド安定剤、シェルを形成するアミノアルデヒド前縮合物、ならびに架橋剤の存在下で形成することにより進行する。
反応条件、例えば温度、撹拌速度およびミキサーの形状を、所望の平均マイクロカプセルサイズ範囲およびマイクロカプセルサイズ分布を得るために選択してもよく、当該パラメーターの選択は、十分当業者の視野内である。
【００５９】
その後、混合物を、連続的撹拌の下で、約３〜４、より特定的には３．２〜３．８のｐＨに、好適な酸、例えばブレンステッド酸、例えばギ酸の添加によって調整することができる。温度を、この段階で摂氏約７５度＋／−摂氏５度、またはより特定的には摂氏９０＋／−５度まで上昇させることができる。このステップの間、カプセル封入シェルは、香料油小滴の周囲で縮合し、架橋によって固化する。架橋は、温度を約３５℃またはそれより高い温度に上昇させる際に開始する。
【００６０】
ホルムアルデヒド捕捉剤、例えばエチレン尿素を、このステップの間に加えてもよい。
得られたマイクロカプセルスラリーを冷却し、懸濁させたマイクロカプセルを懸濁剤を使用して安定化する。スラリーのｐＨをまた、この段階で、約５〜７、より特定的には５．７〜６．７の範囲内に、好適なアルカリ性物質、例えばアンモニアの添加を伴って調整してもよい。この段階で、殺生物剤をスラリーに加えることはまた、標準となっている。
【００６１】
本発明の態様において、本明細書中に記載したカプセル封入された香料組成物を生成する方法を提供し、当該方法は、正に荷電されたポリマーコロイド安定剤の存在下で水性懸濁媒体中で少なくとも１つの香料含有小滴の分散体を形成し、その後架橋したアミノプラストのカプセル封入シェルが前記少なくとも１つの小滴周囲に形成し始め、シェルを架橋によって固化させるステップを含む。
【００６２】
より特定的な態様において、方法は、以下のステップを含む：
ａ）正に荷電されたポリマーコロイド安定剤、シェル形成メラミンホルムアルデヒド前縮合物および任意に架橋剤を含む水相を提供すること；
ｂ）カプセル封入するべき香料成分を含む油相を提供すること；
【００６３】
ｃ）水相および油相を反応器中で混合して、水性外部相中に分散させた香料成分の小滴を含むエマルションを形成すること；
ｄ）反応器内のｐＨおよび温度を調整して、小滴の周囲のコアセルベーションおよびシェル形成を開始し、それによってコアシェル型マイクロカプセルを形成すること；ならびに
ｅ）反応器内の温度を調整して、架橋を開始し、前記コアシェル型カプセルのシェルを固化させ、その後冷却して、スラリーの形態でカプセル封入された香料組成物を形成すること。
【００６４】
得られたスラリーを、ｐＨを約５．５〜約７の範囲内に調整し、抗菌剤および懸濁剤を加えて、マイクロカプセルがスラリー内に良好に分散し続けることを確実にすることによりさらに処理してもよい。
【００６５】
スラリーは、約２０〜６０％の範囲内の、より特定的には約３０〜５０％の固形分を有してもよい。本明細書中で使用する用語「固形分」は、スラリーの全重量（つまりシェル材料およびコア内容物の合わせた重量）の百分率として表したマイクロカプセルの全重量を指す。カプセル封入された香料の全重量は、スラリーの重量に基づいて約３０〜４５重量％、より特定的には約３５〜４０重量％にあってもよい。
【００６６】
マイクロカプセルのシェル対コア比率は、洗浄し、ろ過によって分離した有効な量のマイクロカプセルを測定することにより得ることができる。湿気を帯びたマイクロカプセルのケーク(cake)を、次にマイクロ波溶媒抽出法を使用して抽出し、コア物質の量を、ガスクロマトグラフ分析を使用して測定することができる。
【００６７】
本明細書中に記載した本発明の方法に従って、少なくとも８：２、より特定的には少なくとも９：１のコア対シェル重量比を有するマイクロカプセルを含むカプセル封入された香料組成物を調製することが、可能である。かかるコア対シェル重量比によって特徴付けられるマイクロカプセルは、高負荷量の香料組成物を含むことができ、保存、輸送および本明細書中に開示される種々雑多の消費者製品中への組み込みなどの、製造、および供給プロセス(supply chain)に関する他の操作を乗り切るのに十分に強健である。さらに、使用において、それらは、より完全に本明細書中に記載したように、香料を望ましい方式において放出することに関して適度な力の下で破壊可能である。
【００６８】
本発明のカプセル封入された香料組成物は、所望により、いかなる場所にも１〜１０００μｍの体積平均直径（Ｄ５０）を有するマイクロカプセルに含まれ得る。しかしながら、安定であり、性能の良い(performing)カプセル封入された香料組成物は、より典型的には、５μｍ〜５０μｍ、尚より特定的に５μｍ〜２０μｍ、例えば１０μｍの平均直径（Ｄ５０）を有するマイクロカプセルを含む。体積平均直径は、光散乱測定を行うことにより、Malvern 2000S機器を使用して、当該技術分野において一般に知られている手法を使用して得られる。
【００６９】
驚くべきことに、所与のマイクロカプセル平均直径について、より特定的には５〜２０μｍ、およびより特定的には５〜８μｍのマイクロカプセル平均直径について、本発明による正に荷電されたコロイド安定剤を使用して生成したカプセル封入された香料組成物は、先行技術のアクリルベースのアニオン性コロイド安定剤を使用して生成したカプセル封入された香料組成物と比較して、基体上に堆積した際に改善された香料類の利点を呈することが、発見された。
【００７０】
粒度分布は、上に記載した香料類の利点を与えることについて重要であるのみならず、それはまた、美学的な見解からも重要である。マイクロカプセルは、スラリー中に容易に分散可能でなければならない。過度にクリーム状になることまたは沈降または大きく、かつ視認可能な凝集体の存在は、見苦しいのみならず；それはまた、スラリーを消費者製品の基剤中に包含させようとする調合者の意識において、性能および品質に関しての負の知覚を生み出し得る。極端な場合において、それは、実際にスラリーの性能および品質に影響し得る。
【００７１】
かかる負の知覚を回避するために、マイクロカプセルをスラリー内に良好に分散させるべきであるのみならず；マイクロカプセルがスラリーを消費者製品の基剤中に包含させる際に凝集しないこともまた高度に重要であることが、望ましい。述べたように、これは、先端技術のメラミン−ホルムアルデヒドマイクロカプセルに関する問題であり得る。しかしながら、本発明に従って生成したカプセル封入された香料組成物は、従来のマイクロカプセルで観察された凝集現象に対して耐久性があるマイクロカプセルを含む。
【００７２】
本発明のカプセル封入された香料組成物は、さらにマイクロカプセルのシェル厚さの点から特徴付けられ得、それは、１０〜５００ｎｍ、より特定的には５０〜１５０ｎｍの範囲内であり得る。さらに、マイクロカプセルのシェル対コア質量比は、３０％未満、尚より特定的には２０％未満、より特定的には１０％未満であり得る。
【００７３】
本明細書中で述べたように、本発明のカプセル封入された香料組成物は、水性懸濁媒体中に分散させたマイクロカプセルのスラリーの形態で得られる。懸濁剤を加えて懸濁媒体中のマイクロカプセルを安定化することは、標準となっている。
【００７４】
懸濁剤は、典型的には、クリーム状になること、マイクロカプセルの凝析または沈降を防止することによりスラリー中のマイクロカプセルの物理的安定性を改善する親水コロイドである。親水コロイドの例は、ポリ炭水化物(polycarbohydrate)、例えばデンプン、加工デンプン、デキストリン、マルトデキストリンおよびセルロース誘導体、ならびにそれらの四級化形態；天然ゴム、例えばアルギネートエステル、カラギーナン、キサンタン、寒天、ペクチン、ペクチン酸、ならびに天然ゴム、例えばアラビアゴム、トラガカントゴムおよびカラヤガム、グアーゴムおよび四級化グアーゴム；ゼラチン、タンパク質加水分解物およびそれらの四級化形態；合成ポリマーおよびコポリマー、例えばポリ（ビニルピロリドン−コ−酢酸ビニル）、ポリ（ビニルアルコール−コ−酢酸ビニル）、ポリ（（メタ）アクリル酸）、ポリ（マレイン酸）、ポリ（アルキル（メタ）アクリレート−コ−（メタ）アクリル酸）、ポリ（アクリル酸−コ−マレイン酸）コポリマー、ポリ（アルキレンオキシド）、ポリ（ビニルメチルエーテル）、ポリ（ビニルエーテル−コ−無水マレイン酸）など、ならびにポリ−（エチレンイミン）、ポリ（（メタ）アクリルアミド）、ポリ（アルキレンオキシド−コ−ジメチルシロキサン）、ポリ（アミノジメチルシロキサン）など、ならびにそれらの四級化形態を含む。
【００７５】
マイクロカプセルの高い正のゼータ電位特性に注意を有して、特に物理的に安定であり、低粘度のスラリーが、カチオン性懸濁剤を使用する際に得られ得ることが、見出された。特に有用なカチオン性懸濁剤は、アクリルアミドに基づいたカチオン性増粘剤である。好ましい懸濁剤は、SNF Floerger, Andrezieux Cedex, FRANCEなる会社から市販されているFlosoft製品、および特にFlosoft FS 222を含むカチオン性アクリルアミドである。
【００７６】
かかる懸濁剤を含むスラリーは、凝集のいかなるサインをも表示せず、比較的低粘度、より特定的には５００〜５０００ｃｐｓ、および尚より特定的に約１０００ｃｐｓ、６０ｒｐｍの回転速度でBrookfield LVT粘度計上で測定して、より特定的にはスラリー中の３０〜４０ｗｔ％カプセルで１０００ｃｐｓを有する。
【００７７】
上記で定義した本発明のカプセル封入された香料組成物は、追加の調合物助剤、例えば粘性化剤(viscosifying agent)、殺生物剤、キレート剤などを含んでもよい。
乾燥粉末の形態にあるマイクロカプセルを隔離することが望まれる場合、スラリーを、さらなるステップにおいて噴霧乾燥してもよい。噴霧乾燥ステップに先立って、流動助剤、例えばシリカなどをスラリーに加えて、低表面香料油を有する微細な自由流動の粉末マイクロカプセルの実現を確実にすることが、望ましい場合がある。
【００７８】
本発明は、別のその側面において、カプセル封入された香料組成物を消費者製品中に安定に組み込む方法を提供し、当該方法は、本明細書中に記載したスラリーの形態にあるカプセル封入された香料組成物を提供し、スラリーを消費者製品中に混合するステップを含む。
【００７９】
カプセル封入された香料組成物を消費者製品中に安定に組み込む方法におけるより特定的な態様において、スラリーは、上記で定義した懸濁剤を含む。
より特定的な態様において、カプセル封入された香料組成物中のマイクロカプセルのＤ５０は、５〜５０ミクロン、より特定的には５〜２０ミクロンである。
【００８０】
より特定的な態様において、カプセル封入された香料組成物中のマイクロカプセルのＤ５０は、５〜５０ミクロン、より特定的には５〜２０ミクロンであり、消費者製品中に組み込まれたマイクロカプセルのＤ５０は、５〜５０ミクロン、より特定的には５〜２０ミクロンである。
【００８１】
本発明のカプセル封入された香料組成物を使用して、種々雑多な香料成分をカプセル封入してもよい。可能な香料成分の全リストを、香料類モノグラフ、例えば「Perfume & Flavor Chemicals」、S. Arctander（Allured Publishing, 1994）、ならびにこの学術書の後の版中に見出すことができ、これを、参照によって本明細書中に組み込む。
【００８２】
しかしながら、本出願人は、以下に述べる香料成分選択基準を使用することによって、香料成分のシェルを通しての透過性および拡散性の両方に影響することが可能であることを見出した。
【００８３】
より特定的には、本出願人は、以下と等しい電子密度を有する分子等位面(iso-surface)の温度独立性積分によって反映されるとおり、香料成分内の電子密度分布である香料成分選択のパラメーターを見出した。
０．００２ｅ／ａ０３
式中
ｅは、無次元の電子電荷であり、および
ａ０は、水素原子のボーア(Bohr)半径である（ａ０＝５．２９１７７２０８５９×１０−１１ｍ）、
に等しい電子密度を有する分子等位面(iso-surface)の、温度に依存しない積分によって反映されるとおり、香料成分内の電子密度分布であることを見出した。
【００８４】
Molecular Operating Environment化学コンピューターソフトウェア（Version 2009, ex Chemical Computing Group, Canada、またはその後のバージョン、および任意にDDASSL RECONソフトウェアプラグイン（Rensselaer Polytechnic Institute, 2001-2003、またはその後のバージョン）を使用する）を採用して、この積分の値は、いわゆるRECON_VOLTAE量子化学的誘導記述子によって与えられる。特に、成分の分子等位面の積分値が、ある値を超過する際、マイクロカプセルシェルを通しての香料成分の漏出が相当に抑制されることが、驚くべきことに見出され、これは本明細書において、下により完全に記載される。
【００８５】
RECON VOLTAEは、０．００２ｅ／ａ０３に等しい電子密度を有する分子空間を包囲する分子等位面の局所分布(topography)を記載するかまたは表現するパラメーターである。
【００８６】
以下に記載するカプセル封入された香料組成物において、任意のカプセル封入された香料成分の濃度（ｗｔ％）を、カプセル封入された香料成分の総量に関して、およびカプセル封入された合計の材料ではなく表現する。例えば、香料成分のみをカプセル封入することが好ましいが、香料成分に加えて、他の非香料類成分または賦形剤、例えば溶媒または希釈剤をカプセル封入してもよく、それが、コアから漏出し得る香料組成物の量を減少させるにあたって有益であり得ることを、熟考する。例えば、ある香料成分を、溶液として提供してもよいか、または好適な溶媒、例えばクエン酸トリエチル「ＴＥＣ」で希釈する。かかる場合において、香料成分の量のみを、ｗｔ％計算において、および香料成分を溶解するかまたは希釈するために使用する溶媒または希釈剤ではなく計数する。
【００８７】
かかる溶媒または希釈剤は、香料成分に混和性であり、かつ採用される量において香りをほとんどまたは全く有しない、疎水性材料である。一般的に採用される溶媒は、例えば６超、さらに１０超の高ClogP値を有する。溶媒は、トリグリセリド油、モノおよびジグリセリド、鉱油、シリコーン油、フタル酸ジエチル、ポリ（アルファ−オレフィン）、ヒマシ油およびミリスチン酸イソプロピルを包含する。
【００８８】
コアシェル型マイクロカプセルのコアはまた、一般的に採用されるアジュバントも含有してもよい。用語「アジュバント」は、その快楽的性能以外の、組成物の性能に影響し得る成分を指す。例えば、アジュバントは、香料組成物または該組成物を含有する消費者製品を処理するための助剤(an aid)としての役割を果たす成分であってもよく、またはそれは、香料組成物または消費者製品の取り扱いまたは保存を改善してもよい。それはまた、色または質感を付与するなどの追加的な利益を提供する成分でもあってもよい。
【００８９】
それはまた、耐光性または化学的安定性を、香料組成物または消費者製品に含有される１種以上の成分へ付与する成分でもあってもよい。香料組成物または消費者製品において一般的に使用されるアジュバントの性質およびタイプの詳細な記載は、徹底したものにはなり得ないが、かかる成分は、当業者に周知である。アジュバントの例は、界面活性剤および乳化剤；粘性およびレオロジー改変剤；増粘剤およびゲル化剤；防腐材；色素、染料および着色物質；増量剤、充填剤および補強剤；熱および光の有害な効果に対する安定剤、嵩高剤、酸味料、緩衝剤および酸化防止剤を包含する。
【００９０】
かかる溶媒、希釈剤またはアジュバントのより詳細な議論は、香料類モノグラフ、例えば上に述べたArctanderの参考文献中に見出され得る。
さらに、カプセル封入された香料組成物において、それらが少なくとも３種の香料成分、より特定的には少なくとも５種、尚より特定的には少なくとも７種、より特定的には尚少なくとも９種の、以下に言及するしきい値より大きいRECON VOLTAE値を有する香料成分を含む場合が、好ましい。
【００９１】
本発明の実際において、カプセル封入するべき香料組成物が、約１２００Ｂｏｈｒ３より大きい、より特定的には約１５４０Ｂｏｈｒ３より大きい、尚より特定的には約１７５０Ｂｏｈｒ３より大きい既知のRECON_VOLTAE値を有する香料成分を含む場合が、好ましい。
【００９２】
本明細書中で使用する用語「既知の」は、それをRECON_VOLTAE値、または本明細書中に記載した香料成分と関係する他の物理化学的パラメーターのいずれかに関して使用するように、当該値が香料組成物の調合者に知られていることを意味するか、または本明細書中に提供する教示に従って計算することができる。
【００９３】
好ましくは、７０ｗｔ％より大きい、特に８０ｗｔ％より大きい、およびより特定的に９０ｗｔ％より大きいカプセル封入された香料成分は、約１２００Ｂｏｈｒ３より大きい既知のRECON_VOLTAE値を有する。
より特定的には、３０ｗｔ％より大きい、３５ｗｔ％より大きい、４０ｗｔ％より大きいカプセル封入された香料成分は、約１５４０Ｂｏｈｒ３より大きい既知のRECON_VOLTAE値を有する。
【００９４】
カプセル封入された香料成分のかかる分布を含むカプセル封入された香料組成物は、攻撃性の（または抽出性の）媒体中への組み込みに特に好適である。これらの媒体は、布の軟化用または調整用製品(fabric softening or conditioning products)、ならびに特に四級化エステル界面活性剤（いわゆる「エステルクオート(esterquat)」）および非イオン系界面活性剤を含むものを含む。それらをまた、粉末の、または粒状の洗剤、および液体洗剤組成物、および特別、パウチまたはポッド中に含まれる単位剤形として設計され、しばしば当該技術分野において「液体タブ」と称される当該体裁において有用に使用する。これらの成分および調合物のより十分な議論を、以下に提供する。
【００９５】
それらは、非構造化(unstructured)界面活性剤を含む布の軟化用または調整用製品において使用するのに特に好適である。用語「非構造化界面活性剤」は、当業者に知られている。それは、界面活性剤がミセルの形態において存在する傾向がある界面活性剤含有組成物を指す。ミセルの界面活性剤は、カプセル封入された香料成分をマイクロカプセルから抽出するにあたって特に効率的である。
【００９６】
非構造化界面活性剤は、「構造化(sutructured)界面活性剤」と対比されるべきである。構造化界面活性剤組成物は、水、界面活性剤および任意に他の溶解した物質を含み、それは、一緒に中間相、または中間相の分散体を連続的水性媒体中で形成する。界面活性剤および水は、相互作用して、液体でも結晶でもない相を形成する；これらは、通常「液晶相」、またはあるいはまた「中間相(mesomorphic phases)」または「中間相(mesophases)」と称される。界面活性剤がかかる組成物中で高度に組織されるので、それらは、特にカプセル封入された香料成分の方向に抽出しない傾向がある。
【００９７】
非構造化界面活性剤は、通常、前者が透明な傾向があるので外観検査上の構造界面活性剤上に識別することができ、または実質的にそうであり、一方後者は、それらの構造のために不透明、濁った、または真珠光沢としての外見を呈する傾向がある。
７０ｗｔ％より大きい、８０ｗｔ％より大きい、９０ｗｔ％より大きいカプセル封入された香料成分が約１７５０Ｂｏｈｒ３より大きい既知のRECON VOLTAE値を有するカプセル封入された香料組成物は、本発明のさらなる態様を形成する。
【００９８】
カプセル封入された香料成分のかかる分布を含むカプセル封入された香料組成物は、極めて攻撃性の媒体、例えばシャンプー、ヘアコンディショナーならびに高レベルのアニオン性、非イオン性および／または両性イオン性の界面活性剤を含んでもよい他のパーソナル洗浄クレンジング組成物中で見出されたもの中への組み込みに特に好適である。それらを含むこれらの成分および調合物のより十分な議論を、以下に提供する。
【００９９】
香料組成物を本明細書中に述べた既知のRECON VOLTAE値に従って調合することによって、周囲の懸濁媒体、特に本明細書中で言及した当該高度に抽出性の媒体中への漏出または抽出の傾向がより低いカプセル封入された香料組成物を形成することが、可能である。
【０１００】
理論によって束縛されることを望まずに、香料成分の電子密度分布は、そのRECON_VOLTAE値によって反映されるように、成分がシェルを通して拡散する方法に影響すると信じられている。特に、上で引用したしきい値より高いRECON_VOLTAE値、例えば約１２００超を有する成分の拡散は、所与のしきい値より低いRECON_VOLTAE値を有する香料成分に相対して遅延されかまたはさらに抑制される。
【０１０１】
上記のことから、消費者製品、特に攻撃性または抽出性の媒体であると考慮されるもの、例えばパーソナルクレンジング組成物および洗濯洗剤の基剤において見出されるものにおいて望ましい長期間安定性を有し、一方尚香料を所望の放出速度で基体、特に乾燥した基体上に堆積した後に送達するカプセル封入された香料組成物を提供するために、カプセル封入された香料組成物は、前述の１２００Ｂｏｈｒ３のしきい値より低い既知のRECON_VOLTAE値を有するある量の香料成分を含むべきであることになる。これらのしきい値より低い香料成分は、コアシェル型マイクロカプセルからより容易に拡散するだろう。
【０１０２】
RECON VOLTAEパラメーターの知識、ならびにRECON VOLTAEのカプセル封入された香料組成物の性能および安定性の両方に対する関係に取りつかれて、当業者は、種々のカプセル封入のための香料を、しきい値より低い、およびしきい値より高い香料成分の両方の相対量を均衡させることにより創出することができ、多かれ少なかれ抽出性の消費者製品の基剤において使用する際に安定かつ高性能であるように設計される。
【０１０３】
したがって、さらに１２００Ｂｏｈｒ３より低いRECON VOLTAE値を有するカプセル封入された香料成分を含む上記で定義したカプセル封入された香料組成物は、本発明の別の態様を形成する。
【０１０４】
特定の態様において、カプセル封入された香料組成物は、既知のRECON VOLTAE値を有する香料成分の分布によって特徴付けられ、ここで７０ｗｔ％以上、８０ｗｔ％以上、９０ｗｔ％以上の香料成分は、１２００Ｂｏｈｒ３より大きい既知のRECON VOLTAE値を有し、０．１〜３０ｗｔ％、より特定的には１〜２０ｗｔ％およびより特定的には尚１〜１０ｗｔ％の香料成分は、１２００Ｂｏｈｒ３より低い既知のRECON VOLTAE値を有する。
【０１０５】
別の特定の態様において、カプセル封入された香料組成物は、既知のRECON VOLTAE値を有する香料成分の分布によって特徴付けられ、ここで：３０ｗｔ％以上、３５ｗｔ％以上、４０ｗｔ％以上の香料成分は、１５４０Ｂｏｈｒ３より大きい既知のRECON VOLTAE値を有し；および３０ｗｔ％以上、４０ｗｔ％以上、５０ｗｔ％以上の香料成分は、１２００Ｂｏｈｒ３〜１５４０Ｂｏｈｒ３の既知のRECON VOLTAE値を有し；０．１〜３０ｗｔ％、１〜２０ｗｔ％、１〜１０ｗｔ％の香料成分は、１２００Ｂｏｈｒ３より低い既知のRECON VOLTAE値を有する。
【０１０６】
別の特定の態様において、カプセル封入された香料組成物は、既知のRECON VOLTAE値を有する香料成分の分布によって特徴付けられ、ここで：０．５〜３０ｗｔ％、１〜２５ｗｔ％、５〜２０ｗｔ％の香料成分は、１７５０Ｂｏｈｒ３より大きい既知のRECON VOLTAE値を有し；２０〜６０ｗｔ％、２５〜５５ｗｔ％、３０〜５０ｗｔ％の香料成分は、１５４０Ｂｏｈｒ３〜１７５０Ｂｏｈｒ３の既知のRECON VOLTAE値を有し；および５〜５０ｗｔ％、より特定的には１０〜４０ｗｔ％、１５〜３０ｗｔ％の香料成分は、１２００Ｂｏｈｒ３〜１５４０Ｂｏｈｒ３の既知のRECON VOLTAE値を有し；０．１〜３０ｗｔ％、１〜２０ｗｔ％、１〜１０ｗｔ％の香料成分は、１２００Ｂｏｈｒ３より低い既知のRECON VOLTAE値を有する。
【０１０７】
尚別の特定の態様において、カプセル封入された香料組成物は、既知のRECON VOLTAE値を有する香料成分の分布によって特徴付けられ、ここで７０ｗｔ％以上、より好ましくは８０ｗｔ％以上および最も好ましくは９０ｗｔ％以上の香料成分は、１７５０Ｂｏｈｒ３より大きい既知のRECON VOLTAE値を有し；ならびに０．１〜３０ｗｔ％、１〜２０ｗｔ％、１〜１０ｗｔ％の香料成分は、１７５０Ｂｏｈｒ３より低い既知のRECON VOLTAE値を有する。
【０１０８】
本明細書中に記載したカプセル封入された香料組成物において、カプセル封入された香料成分の既知のRECON VOLTAE値の重量平均が１５４０Ｂｏｈｒ３より大きく、より特定的には１７５０Ｂｏｈｒ３より大きいべきである場合が、好ましい。
【０１０９】
既知のRECON_VOLTAE値の重量平均は、成分数で除された、成分既知のRECON_VOLTAE値の重み付き代数平均として、ここに定義する：
【数１】
2018526477.tif 000002
式中、ｎは、成分ｉの数であり、％ｉは、成分ｉの重量百分率であり、RECON VOLTAEｉは、成分ｉのRECON VOLTAE値である。
【０１１０】
特に安定かつ高性能のカプセル封入された香料組成物が、香料成分の選択が、本明細書の上に記載のとおり、RECON_VOLTAEパラメーターに基づくだけでなく、香料成分の平衡ヘッドスペースカプセル(equilibrium headspace-capsule)分配係数「Kcaps」にも従ってなされる際に、調製され得る。平衡ヘッドスペースカプセル分配係数は、同じ濃度の成分ｉを含む遊離の香料Ｐと平衡にあるヘッドスペース濃度（ＨＳｉｐ）によって除された、所与の濃度で香料成分ｉを含むカプセル封入された香料組成物Ｐを含有するマイクロカプセルと平衡にある香料成分ｉのヘッドスペース濃度（ＨＳｉｃ）として定義される。
【数２】
2018526477.tif 000003
【０１１１】
マイクロカプセルと平衡にあるヘッドスペース濃度は、当業者に周知の手法を使用して測定され得る。典型的な手順において、既知の濃度のマイクロカプセルを含有するカプセル封入された香料組成物は、バイアルＶＣへ移送されるが、これは、セプタム(a septum)で閉じられ、２５℃で平衡化させられており、既知の量の遊離の香料は、香料が堆積するる吸い取り紙の細長い一片を含有するバイアルＶＰへシリンジで移送される。バイアルはセプタムで閉じられ、２５℃で平衡化させられる。ヘッドスペースのアリコートは、次に両方のバイアルから採取され、ヘッドスペース濃度プロフィールは、当該技術分野において知られている方法、例えばヘッドスペース毛細管ガスクロマトグラフィー、ヘッドスペースガスクロマトグラフィーイオン移動度分光分析、ガス分光法などを使用して定量的に決定される。
【０１１２】
Kcapsは、実験的に決定されてもよく、またはそれは、当該技術分野において知られている手法を使用して成分について算出され得る。特に、マイクロカプセル安定性に対する香料成分の効果は、MOEソフトウェアを使用するQSAR分析から予測され得る。
【０１１３】
当業者が評価するであろうとおり、QSAR法は、本発明の文脈において、香料成分の性能がその化学構造と相関し、その結果活性が算出可能な生理化学的寄与の関数としてモデル化され得ると仮定する。性能予測のためのかかるモデルは、次に、既知の香料成分のパレット、または有用な候補成分についての他の分子の実際のライブラリーをスクリーニングするために使用され得る。
【０１１４】
本発明において香料成分の代表的な試料のQSAR分析を使用した結果、マイクロカプセルの安定性に対する香料成分の効果に寄与する物理化学的パラメーター（log10 Kcaps）が同定された。
【０１１５】
log10Kcapsは、Quantitative Structure Activity Relationshipを構築することにより、計算の化学香料MOE（Molecular Operation Environment、バージョン２０１３．０８．０１、Chemical Computing Group, Corporate Headquarters, 1010 Sherbrooke St. W, Suite 910, Montreal, Canada H3A 2R7から購入した、任意にDDASSL RECONソフトウェアプラグイン（Rensselaer Polytechnic Institute, 2001-2003またはその後のバージョン）を使用して）内で利用可能な分子記述子の線形回帰を実施することにより算出された。QSAR分析は、それらに基づき分析のために選択された合計７５種の香料成分（カプセル封入された香料組成物において使用された一連の代表的な香料成分である）を使用して実行された。その結果得られたQSAR方程式は、下に与えられる：
【０１１６】
【数３】
2018526477.tif 000004
【０１１７】
上の方程式において使用された分子記述子の定義は、MOEマニュアルバージョン２０１３．０８．０１（Molecular Operation Environment, Chemical Computing Group, Corporate Headquarters, 1010 Sherbrooke St. W, Suite 910, Montreal, Canada H3A 2R7によって編集された）；またはR. TodeschiniおよびV. Consonni, Handbook of Molecular Descriptors, Wiley, 2000；およびDDASSL RECONマニュアル（Rensselaer Polytechnic Institute, 2001-2003またはその後のバージョン）から見出され得る。
【０１１８】
数種の香料成分の算出されたlog10 Kcaps値は、下の表中に提供される。
本発明に従うカプセル封入された香料組成物において特に有用である香料成分は、それら夫々のRECON_VOLTAE値およびそれらの算出されたlog10 Kcaps値に従ってグループ化され得る。
【０１１９】
したがって、グループ１の香料成分は、１２００Ｂｏｈｒ３より大きいRECON_VOLTAE値および−３より大きい計算されたｌｏｇ１０Ｋｃａｐｓを有し、ここで用語ｌｏｇ１０は、１０進法の対数を指す。グループ１の香料成分は、以下のものを含むが、それらには限定されない：−
【０１２０】
【表１−１】
2018526477.tif 000005
【０１２１】
【表１−２】
2018526477.tif 000006
【０１２２】
【表１−３】
2018526477.tif 000007
【０１２３】
【表１−４】
2018526477.tif 000008
【０１２４】
【表１−５】
2018526477.tif 000009
【０１２５】
【表１−６】
2018526477.tif 000010
【０１２６】
【表１−７】
2018526477.tif 000011
【０１２７】
【表１−８】
2018526477.tif 000012
【０１２８】
【表１−９】
2018526477.tif 000013
【０１２９】
【表１−１０】
2018526477.tif 000014
【０１３０】
【表１−１１】
2018526477.tif 000015
【０１３１】
【表１−１２】
2018526477.tif 000016
【０１３２】
本明細書の上で言及された量においてカプセル封入された際に、グループ１の香料成分を含有するマイクロカプセルは、温和な抽出性の媒体、例えば布用ソフナーまたは調整用(fabric softener or conditioning)組成物、特に構造化界面活性剤を含有するそれら組成物において出くわす媒体に懸濁した際に、漏出に対して優れた耐久性を呈する。
【０１３３】
約１２００Ｂｏｈｒ３より大きいRECON_VOLTAE値によって特徴付けられる香料成分を含有する、本明細書の上に記載のそれらカプセル封入された香料組成物は、ここでそれら成分は、−３超のlog10 Kcapsによって加えて特徴付けられるが（つまりグループ１の成分）、本発明の追加の態様を形成する。
【０１３４】
さらに、該カプセル封入された香料組成物を含有する、布用ソフナーまたは調製用組成物、特に構造化界面活性剤を含有するものは、本発明のさらなる態様を形成する。
香料成分の第２グループ、いわゆるグループ２の成分は、１５４０Ｂｏｈｒ３より大きいRECON_VOLTAE値および−３超のlog10 Kcapsを有する。グループ２の香料成分は、以下を包含するが、これらには限定されない。
【０１３５】
【表２−１】
2018526477.tif 000017
【０１３６】
【表２−２】
2018526477.tif 000018
【０１３７】
【表２−３】
2018526477.tif 000019
【０１３８】
【表２−４】
2018526477.tif 000020
【０１３９】
【表２−５】
2018526477.tif 000021
【０１４０】
【表２−６】
2018526477.tif 000022
【０１４１】
【表２−７】
2018526477.tif 000023
【０１４２】
【表２−８】
2018526477.tif 000024
【０１４３】
本発明に従い本明細書の上で言及された量においてカプセル封入された香料組成物において採用された際に、グループ２の成分を含有するマイクロカプセルは、固体および液体のランドリーケア洗剤(laundry care detergents)などの激しい抽出性の媒体、およびパウチまたはポッド中に含有される単位剤形として設計され、しばしば当該技術分野において「液体タブ」と称される特定のそれらの体裁(formats)（これらのさらなる検討は、本明細書の下に提供される）に懸濁させた際、漏出に対して耐久性がある。
【０１４４】
約１５４０Ｂｏｈｒ３より大きいRECON_VOLTAE値によって特徴付けられる香料成分を含有する、本明細書に記載のそれらカプセル封入された香料組成物は、ここでそれら成分が、−３より大きいlog10 Kcapsを有することにより加えて特徴付けられる（つまりグループ２の成分）が、本発明の追加の態様を形成する。
【０１４５】
香料成分のグループ３は、１７５０Ｂｏｈｒ３より大きいRECON_VOLTAE値および−３より大きいlog10 Kcapsを有する成分によって特徴付けられる。グループ３の香料成分は、以下のものを包含するが、これらには限定されない：
【０１４６】
【表３−１】
2018526477.tif 000025
【０１４７】
【表３−２】
2018526477.tif 000026
【０１４８】
【表３−３】
2018526477.tif 000027
【０１４９】
【表３−４】
2018526477.tif 000028
【０１５０】
該成分が、本発明に従い本明細書の上で言及された量においてカプセル封入された香料組成物に採用される場合、グループ３の香料成分を含有するマイクロカプセルは、シャンプー、ヘアコンディショナーおよび他のパーソナルクレンジング組成物において出くわした、などの激ししい抽出性の媒体に懸濁させた際、漏出に対する良好な耐久性を呈する。
【０１５１】
約１２００Ｂｏｈｒ３より大きいRECON_VOLTAE値によって特徴付けられる香料成分を含有する、本明細書の上に記載のそれらカプセル封入された香料組成物は、ここでそれら成分が、−３より大きいlog10 Kcapsを有することにより加えて特徴付けられる（つまりグループ３の成分）が、本発明の追加の態様を形成する。
さらに、前記カプセル封入された香料組成物を含有する、パーソナルクレンジング組成物（シャンプーを包含する）は、本発明の尚さらなる態様を形成する。
【０１５２】
カプセル封入された香料組成物の調合者が直面する特定の課題は、マイクロカプセルの安定性（つまりマイクロカプセルのコアからの香料成分の漏出に対する耐久性）と、性能、すなわちマイクロカプセルが所望の速度で長時間にわたって香料を放出する能力との間の許容し得る均衡をうまく両立させることである。典型的には、マイクロカプセルが、抽出性の基剤における保存中に極めて安定である場合、そのときはそれらは、かなり高い機械的な力に応答する以外に、それらのコア内容物を放出しない傾向がある。かかるマイクロカプセルが、布、毛髪(hair)または皮膚などの基体上に堆積する際、香料の痕跡は、処置された基体への強い摩擦によってしか目立つことがないかもしれない。かかるマイクロカプセルは、「摩擦後」の性能を所有すると言われるが、摩擦前の香りの痕跡は、弱いかまたは存在しない。
【０１５３】
安定なマイクロカプセル、特に、攻撃性または抽出性の媒体中で安定であり、許容し得る摩擦前の香りの痕跡をもまた呈するマイクロカプセルを含むカプセル封入された香料組成物の提供は、困難なものである。
本発明は、コアシェルマイクロカプセル中にカプセル封入された香料成分の摩擦前の香りの痕跡と良好に相関する別の物理化学的パラメーターを明確に表現する。
【０１５４】
香料成分の固有の摩擦前の香りの寄与分(Pre-Rub Odour Contribution)（「ＰＲＯＣ」）は、その標準的な香り値(Odour Value)（ＯＶｉ）およびその平衡ヘッドスペースカプセル分配係数Kcapsを乗じた、カプセル封入されるべき香料成分の濃度（ｗｔ％）から与えられる。したがって、各香料成分ｉについて、摩擦前の香りの寄与分は、
【数４】
2018526477.tif 000029
によって定義される。
【０１５５】
さらに、成分の摩擦前の香りの部分寄与分（ｐＰＲＯＣ）は、その標準的な香り値（ＯＶｉ）およびその平衡ヘッドスペースカプセル分配係数Kcapsを乗じた香料中でのその濃度（ｗｔ％）として定義される。したがって、各香料成分ｉについて、摩擦前の香りの部分寄与分は、
【数５】
2018526477.tif 000030
によって定義される。
【０１５６】
最後に、摩擦前の香りの総寄与分（ｔＰＲＯＣ）は、カプセル封入された香料組成物中のすべての成分にわたる摩擦前の香りの部分寄与分（ｐＰＲＯＣ）の合計である。
標準的な香り値（ＯＶｉ）は、成分の標準平衡ヘッドスペース濃度、対、この成分の香り検出しきい値(Odour Detection Threshold)の比率として定義される。
【０１５７】
本明細書の上で使用される用語「標準平衡ヘッドスペース濃度」は、２５℃の温度での、および１気圧の圧力の下での、香料成分の凝縮された形態（すなわちその固体または液体の形態）と平衡にある前記香料成分の濃度を指す。それは、当該技術分野において知られている定量的ヘッドスペース分析手法のいずれかを使用することにより測定され得る。例えばMueller and Lamparsky in Perfumes: Art, Science and Technology, Chapter 6 “The Measurement of Odors”、１７６〜１７９頁（Elsevier 1991）を参照。
【０１５８】
本明細書中で使用される用語、香り検出しきい値（ＯＤＴｉ）は、例えばMueller and Lamparsky（前掲書中）に記載のとおり、香料成分ｉがパネリストによって知覚され得、臭度測定によって測定され得る平均濃度を指す。
【０１５９】
平衡ヘッドスペース濃度は、以下のように測定されてもよい：５００ｍｇの試験化合物が、ヘッドスペースコンテナーに加えられ、それは次に密閉される。コンテナーは、次に、化合物が気相と液相との間の平衡に達するまで、２５℃一定でインキュベートされる。この飽和ヘッドスペースの定義された体積（通常０．５〜１ｌｔ）が、マイクロフィルター上に、Porapak Qを吸着剤として使用して捕獲される。適切な溶媒（通常３０〜１００ｕｌのメチルｔｅｒｔ．ブチルエーテル）でのフィルター抽出の後、抽出物のアリコートが、ガスクロマトグラフィー（ＧＣ）によって分析される。
【０１６０】
定量は、外部標準較正方法によって実施される。元のヘッドスペース中の濃度が、マイクロフィルター、およびガスクロマトグラフ中に注入されたフィルター抽出物のアリコートを通して吸収されたヘッドスペース体積から算出され得る（μｇ／ｌを単位として）。所与の試験化合物の最終のヘッドスペース濃度値は、３つの独立した測定値の平均値として得られる。本明細書の上に記載された手法のさらなる情報は、Etzweiler, F.; Senn E. and Neuner-Jehle N., Ber. Bunsen-Ges. Phys. Chem. 1984, 88, 578-583の論文から見出され得る（これは、参照によって本明細書中に組み込まれる）。
【０１６１】
香り検出しきい値（ＯＤＴｉ）は、オルファクトメーターを使用することにより測定され得る。以下のステップが実行され得、表１に列挙された各化合物についての香りしきい値が決定した。
【０１６２】
オルファクトメーターは、担体の気体中の匂い物質の線形希釈の原則に基づいて機能する。置き換えられた匂い物質の量は、その蒸気圧および担体の気体流に依存する。流量調節器によって調節された一定流量の窒素によって、匂い物質が試料コンテナーから混合チャンバへ運ばれる。そこで、担体の気体−香り混合物は、無香の空気で希釈される。混合チャンバから、希釈された香りのある空気の一部が、溶融石英毛細管を介して吸引漏斗(the sniffing funnel)へ流れさせる。毛細管を通しての流量は、混合チャンバから吸引漏斗中への香りのある空気の吸収量を決定するが、２つのステップにおいて１から２５６ｍｌまでＰＣを介して調節され得る弁を開くことに依存する。香りのある空気試料の最終希釈が、それらを無香の空気で８ｌｔ／ｍｉｎの流量で永続的にフラッシュすることによりガラス漏斗中で生じる。
【０１６３】
強制選択の三点提示(Forced-choice triangle presentation)は、特別な自動化チャンネル設定デバイスによって達成され、ここでスイッチの１つの位置のみにおいて、匂い物質送達毛細管が、吸引漏斗中に入っており、一方、他の２つの位置において、毛細管は、漏斗の外側に配置し、ここで流出物が吸い取られる。各試行の後、チャンネル設定は、自動的に、および順不同で変更される。蒸気圧の飽和が、試料発生器中で達成されるものと仮定して、濃度が、匂い物質の蒸気圧から、およびオルファクトメーターにおいて適用される希釈比から算出される。対照として、濃度が、毛細管流出物からヘッドスペースフィルター中への既知の体積を試料採取することにより、およびその後の、脱着溶液中の匂い物質のガスクロマトグラフィー的定量により分析的に決定される。
【０１６４】
各パネリスト（１５名のパネル）は、彼が匂い物質を中ぐらいの強度で知覚する濃度レベルで、オルファクトメーターで嗅ぎ始める。同じレベルでの３つの連続した試行における３つの正確な答え（または５つの試行の４つの正確な答え）の後、刺激濃度は、パネリストが彼のしきい値レベルに達するまで、次に低いレベルに対して２倍などで低下させられる。所与の匂い物質の最終的なしきい値は、すべての個々のしきい値レベルの平均値として得られる。
【０１６５】
良好な摩擦前の性能を示す本発明のカプセル封入された香料組成物は、組成物中にカプセル封入された香料成分の摩擦前の香りの総寄与分が、約０．５×１０８と１．０×１０９との間、より特定的には１×１０８と８×１０８との間、およびより特定的には尚１．５×１０８と６×１０８との間であるように、それらのＰＲＯＣ値に基づいて香料成分を選択することにより調製されてもよい。
【０１６６】
尚さらに、漏出、特に高度に抽出性／攻撃性の媒体における漏出に関しての安定性の点での最適な性能と、性能、特に摩擦前の性能とを有するコアシェル型マイクロカプセルを含むカプセル封入された香料組成物を得るために、香料成分は、組成物中にカプセル封入された香料成分の摩擦前の香りの総寄与分が、約０．５×１０８と１．０×１０９との間、より特定的には１×１０８と８×１０８との間、およびより特定的には尚１．５×１０８と６×１０８との間であるべきであり、かつ香料成分RECON_VOLTAEおよびlog10Kcaps値の分布が、本明細書の上に開示された範囲内にあるように、それらのＰＲＯＣ値に基づいて選択されてもよい。
【０１６７】
香料成分のグループ４およびそれら夫々のＰＲＯＣ値は、下の表に列挙される。高い総ＰＲＯＣ値を有するカプセル封入された香料組成物が、本明細書の下に特定されたグループ４の成分から構成されるのが好ましいが、本発明の教示を考慮して、当業者は、列挙されていない他の香料成分のＰＲＯＣ値を容易に計算し、それらを本発明のカプセル封入された香料組成物において使用し得る。
【０１６８】
グループ４の香料類成分は、以下のものを包含するが、これらには限定されない：−
【表４−１】
2018526477.tif 000031
【０１６９】
【表４−２】
2018526477.tif 000032
【０１７０】
【表４−３】
2018526477.tif 000033
【０１７１】
【表４−４】
2018526477.tif 000034
【０１７２】
【表４−５】
2018526477.tif 000035
【０１７３】
【表４−６】
2018526477.tif 000036
【０１７４】
【表４−７】
2018526477.tif 000037
【０１７５】
【表４−８】
2018526477.tif 000038
【０１７６】
本発明のカプセル封入された香料組成物が、少なくとも３種、より特定的には少なくとも５種、尚より特定的には少なくとも７種、およびより特定的には尚少なくとも９種のグループ４の香料成分を含有することが、好ましい。
【０１７７】
加えて、グループ４の成分を、特に少なくとも３種、より特定的には少なくとも５種、尚より特定的には少なくとも７種、およびより特定的には尚少なくとも９種のグループ４の香料成分を含む、本明細書の上に記載されたそれらカプセル封入された香料組成物は、本発明の追加の側面を表す。
【０１７８】
さらに、布用ソフナーまたは調製用組成物、特に構造化界面活性剤を含有するもの；または、固体もしくは液体の洗濯洗剤組成物、および特にパウチまたはポッド中に含有される単位剤形として設計され、しばしば当該技術分野において「液体タブ」と称されるそれらの体裁；または、グループ４の成分を含む本明細書中に記載のカプセル封入された香料組成物を含有する、シャンプーなどのパーソナルケア用クレンジング組成物を包含する、激しい抽出性の媒体は、本発明のさらなる態様を形成する。
【０１７９】
慣用名または商標が、上に列挙された特定の香料成分に関して使用される場合、本出願人は、本発明の境界内に、商標で保護された香料成分のみならず、対応するノーブランドの(generic)成分をも包含する。当業者は、商標、慣用名およびより標準的な術後体系（ＩＵＰＡＣ術後体系）の間の対応を完全に熟知しているか、または当業者は、かかる対応を、香料類の教科書または他の参考文献、例えばウェブサイトthegoodscentscompany.com中に容易に見出すことができる。
【０１８０】
本発明の特定の態様において、カプセル封入された香料組成物は、カプセル封入された香料成分の摩擦前の香りの総寄与分が、０．５×１０６と１．０×１０７との間、より特定的には１×１０６と８×１０６との間、およびより特定的には尚１．５×１０６と６×１０６との間である点；カプセル封入された香料成分のRECON VOLTAE値の区分が７０ｗｔ％以上、８０ｗｔ％以上、９０ｗｔ％以上の香料成分が、１２００Ｂｏｈｒ３より大きい既知のRECON VOLTAE値を有する程度である点；０．１から３０ｗｔ％まで、１から２０ｗｔ％まで、１から１０ｗｔ％までの香料成分が、１２００Ｂｏｈｒ３を下回る既知のRECON VOLTAEを有する点において特徴付けられる。
【０１８１】
別の特定の態様において、カプセル封入された香料組成物は、カプセル封入された香料成分の摩擦前の香りの総寄与分が、０．５×１０６と１．０×１０７との間、より特定的には１×１０６と８×１０６との間、およびより特定的には尚１．５×１０６と６×１０６との間、およびより特定的には尚１．５×１０６と６×１０６との間である点；カプセル封入された香料成分の既知のRECON VOLTAE値の区分が３０ｗｔ％以上、３５ｗｔ％以上、４０ｗｔ％以上の香料成分が、１５４０Ｂｏｈｒ３より大きい既知のRECON VOLTAE値を有する点；３０ｗｔ％以上、４０ｗｔ％以上、５０ｗｔ％以上の香料成分が、１２００Ｂｏｈｒ３から１５４０Ｂｏｈｒ３までの既知のRECON VOLTAE値を有する点；０．１から３０ｗｔ％まで、１から２０ｗｔ％まで、１から１０ｗｔ％までの香料成分が、１２００Ｂｏｈｒ３を下回る既知のRECON VOLTAEを有する程度である点において特徴付けられる。
【０１８２】
別の特定の態様において、カプセル封入された香料組成物は、０．５×１０６と１．０×１０７との間、より特定的には１×１０６と８×１０６との間、およびより特定的には尚１．５×１０６と６×１０６との間の摩擦前の香りの総寄与分によって特徴付けられ；カプセル封入された香料成分の既知のRECON VOLTAE値の区分が、０．５から３０まで、１から２５ｗｔ％まで、５から２０ｗｔ％までの少なくとも１種の香料成分が、１７５０Ｂｏｈｒ３を上回る既知のRECON VOLTAE値を有し；２０〜６０ｗｔ％、２５〜５５ｗｔ％、３０〜５０ｗｔ％の香料成分が、１５４０Ｂｏｈｒ３から１７５０Ｂｏｈｒ３までの既知のRECON VOLTAE値を有し；５〜５０ｗｔ％、１０〜４０ｗｔ％、１５〜３０ｗｔ％の香料成分が、１２００Ｂｏｈｒ３から１５４０Ｂｏｈｒ３までの既知のRECON VOLTAE値を有し；０．１から３０ｗｔ％まで、１から２０ｗｔ％まで、１から１０ｗｔ％までの香料成分が、１２００Ｂｏｈｒ３を下回る既知のRECON VOLTAE値を有する程度であるカプセル封入された香料成分を含有する。
【０１８３】
別の特定の態様において、カプセル封入された香料組成物は、０．５×１０６と１．０×１０７との間、より特定的には１×１０６と８×１０６との間、およびより特定的には尚１．５×１０６と６×１０６との間の摩擦前の香りの総寄与分によって特徴付けられ；カプセル封入された香料成分の既知のRECON VOLTAE値の区分が７０ｗｔ％以上、８０ｗｔ％以上、９０ｗｔ％以上の香料成分が、１７５０Ｂｏｈｒ３より大きい既知のRECON VOLTAE値を有し；０．１から３０ｗｔ％まで、１から２０ｗｔ％まで、１から１０ｗｔ％までの香料成分が、１７５０Ｂｏｈｒ３を下回るRECON VOLTAE値を有する程度であるカプセル封入された香料成分を含有する。
【０１８４】
他の香料成分についてのRECON VOLTAEおよびlog10 Kcaps値は、これらの１種以上が、本発明に従うカプセル封入された香料組成物に採用されてもよいものであるが、以下の表中に述べられる。
【０１８５】
【表５−１】
2018526477.tif 000039
【０１８６】
【表５−２】
2018526477.tif 000040
【０１８７】
【表５−３】
2018526477.tif 000041
【０１８８】
【表５−４】
2018526477.tif 000042
【０１８９】
【表５−５】
2018526477.tif 000043
【０１９０】
【表５−６】
2018526477.tif 000044
【０１９１】
【表５−７】
2018526477.tif 000045
【０１９２】
【表５−８】
2018526477.tif 000046
【０１９３】
【表５−９】
2018526477.tif 000047
【０１９４】
【表５−１０】
2018526477.tif 000048
【０１９５】
【表５−１１】
2018526477.tif 000049
【０１９６】
【表５−１２】
2018526477.tif 000050
【０１９７】
【表５−１３】
2018526477.tif 000051
【０１９８】
【表５−１４】
2018526477.tif 000052
【０１９９】
【表５−１５】
2018526477.tif 000053
【０２００】
【表５−１６】
2018526477.tif 000054
【０２０１】
【表５−１７】
2018526477.tif 000055
【０２０２】
【表５−１８】
2018526477.tif 000056
【０２０３】
【表５−１９】
2018526477.tif 000057
【０２０４】
【表５−２０】
2018526477.tif 000058
【０２０５】
【表５−２１】
2018526477.tif 000059
【０２０６】
本発明の別の側面において、本明細書中に定義されとおりのたカプセル封入された香料組成物を含む消費者製品が提供される。
【０２０７】
本発明によるカプセル封入された香料組成物を、パーソナルケア製品、例えばシャンプー、石鹸、ボディーウォッシュおよびヘアコンディショナー、脱臭剤および制汗剤；ランドリーケア製品、例えば粉末または液体洗剤組成物、香り付け剤、および布用ソフナーまたは調整用製品；ならびに家庭用ケア製品、例えば万能クリーナーおよび食器洗浄液などを含むすべての種類の消費者製品用途中に包含させることができる。
【０２０８】
カプセル封入された香料組成物は、カチオン性界面活性剤を含む消費者製品の基剤、例えば布用柔軟剤(fabric conditioner)またはヘアコンディショナー製品中への組み込みに特に好適である。
【０２０９】
カプセル封入された香料組成物は、消費者製品の重量に基づいて約０．０３ｗｔ％〜１ｗｔ％のカプセル封入された香料組成物を、消費者製品に提供するレベルで、消費者製品中へ組み込まれていてもよい。このレベルの芳香に到達するために、消費者製品という基剤へ加えられるべきカプセル封入された香料組成物の量は、マイクロカプセル中へ積み込まれる香料成分の量、およびカプセル封入された香料組成物が基剤中へ組み込まれる形態を包含する多数の因子に依存するであろう。
【０２１０】
典型的には、カプセル封入された香料組成物は、約２０〜５０ｗｔ％、およびより特定的には３０〜４５ｗｔ％のマイクロカプセルを含有するスラリーの形態で組み込まれ、ここでマイクロカプセルは、香料成分のみを含有し、他の希釈剤または溶媒を含有しない。かかる場合において、上に記載されたレベルの香料を消費者製品に提供するために、典型的には、約０．１ｗｔ％と約３ｗｔ％との間のスラリーを消費者製品という基剤中へ組み込むであろう。
【０２１１】
本発明の特定の態様において、消費者製品は、布用の柔軟剤またはソフナーなどの、布処置用製品(a fabric treatment product)である。
布用ソフナーおよび柔軟剤の成分および調剤は、米国特許6,335,315；5,674,832；5,759,990；5,877,145；および5,574,179に開示されており、これらは、参照によって本明細書に組み込まれる。
【０２１２】
布用の柔軟剤またはソフナーは、典型的には、１６〜２２個の炭素原子を含む１つまたは２つのアルキル鎖、および任意に水酸基を有する窒素含有カチオン性界面活性剤を含む。カチオン性基は好ましくは、四級アンモニウム、イミダゾリウム基、およびアミドアミン酸塩である。四級アンモニウム基は加えて、１〜４個の炭素を有するアルキル基またはヒドロキシアルキルまたは水酸基、または典型的に約１〜約１０個のエチレンオキシド部分を有するアルコキシ基を２〜３個、およびハロゲン化物、水酸化物、酢酸および硫酸メチルの群から選択されるアニオンを有する。長いアルキル鎖は、好ましくは、エステル基によってカチオン性基へ結合される。
【０２１３】
かかる布調整用の活性剤(actives)の典型的な例は、エステルクワット（Ｎ−メチル−Ｎ，Ｎ，ビス［２−（Ｃ１６〜Ｃ１８アセトキシ）エチル）］−Ｎ−（２−ヒドロキシエチル）アンモニウムメトサルフェート）、ジエステルクワット（Ｎ，Ｎ，Ｎ−トリメチル−Ｎ−［１，２−ジ−（Ｃ１６〜Ｃ１８アシルオキシ）プロピルアンモニウム塩］、ＤＥＥＤＭＡＣ（Ｎ，Ｎ−ジメチル−Ｎ，Ｎ−ビス（［２−（−［（１−オキソオクタデシル）オキシ］エチル）アンモニウムクロリド、ＨＥＱ（Ｎ，Ｎ，Ｎ−トリメチル−Ｎ−［（Ｚ）−２−ヒドロキシ−３−［（１−オキソ−オクタデカ−９−エニル）オキシ］］アンモニウムクロリド、ＴＥＡＱ（Ｃ１０〜Ｃ２０飽和および不飽和脂肪酸とトリエタノールアミンとの間の反応生成物のジ四級化(diquaternized)硫酸メチル塩）、グリセリンをベースとしたポリオーエステルクワット、エチル−タローアルキルイミダゾリニウムメチルサルフェート、ジタローアルキルジメチルアンモニウムメチルサルフェート、メチルタローアルキルアミドエチルタローアルキルイミダゾリニウムメチルサルフェート、ｂ−ヒドロキシエチルエチレンジアミン誘導体、ポリアンモニウム等、およびそれらの混合物を包含する。
【０２１４】
さらなる布軟化用の活性剤は、例えばAjad Farooq and Charles J. Schramm, Handbook of Detergents - Part E: Applications, Surfactant Science Series 141, p. 181-200, CRC-Press, Broken Sound Parway, 2009に開示されている。
【０２１５】
布用柔軟剤またはソフナー中に存在してもよい典型的な非イオン性界面活性剤は、これらに限定されないが、アルキルおよびアルキルベンジルアルコールアルコキシレートまたはポリアルコキシル化カルボン酸、ポリアルコキシル化アミン、ポリアルコキシル化グリコールまたはグリセロールエステル、ポリアルコキシル化ソルビタンエステルまたはアルカノアミドを包含する。
【０２１６】
本発明の別の態様において、消費者製品は、洗濯用洗剤組成物であってもよい。
洗濯用洗剤の成分および調剤は、米国特許5,929,022；5,916,862；5,731,278；5,470,507；5,466,802；5,460,752；および5,458,810に開示されており、これらは、参照によって本明細書中に組み込まれる。
粉末洗剤または液体洗剤は、典型的には、アニオン性、両性イオン性および／または非イオン性の界面活性剤、およびそれらの混合物を含む。
【０２１７】
典型的なアニオン性界面活性剤は、ラウリル硫酸ナトリウム、ラウレス硫酸ナトリウム、トリデセス硫酸ナトリウム、ラウリル硫酸アンモニウム、ラウレス硫酸アンモニウム、ラウレス硫酸カリウム、直鎖状アルキルベンゼンスルホネート、ナトリウムトリデシルベンゼンスルホネート、ナトリウムドデシルベンゼンスルホネート、ナトリウムキシレンスルホネート、ラウリル硫酸モノエタノールアミン、ラウレス硫酸モノエタノールアミン、ラウリル硫酸トリエタノールアミン、ラウレス硫酸トリエタノールアミン、ラウリルサルコシン、ココイルサルコシン、ナトリウムラウリルサルコシネート、ナトリウムラウロイルサルコシネート、ラウリル硫酸トリエチルアミン、ラウレス硫酸トリエチルアミン、ラウリル硫酸ジエタノールアミン、ラウレス硫酸ジエタノールアミン、ラウリルモノグリセリドナトリウムサルフェート、ココイル硫酸アンモニウム、ラウロイル硫酸アンモニウム、ココイル硫酸ナトリウム、ラウロイル硫酸ナトリウム、ナトリウムココイルイセチオネート、ココイル硫酸カリウム、ラウリル硫酸カリウム、ココイル硫酸モノエタノールアミン、ラウリル硫酸モノエタノールアミン、ラウリル硫酸トリエタノールアミン、Ｃ５〜Ｃ１７アシル−Ｎ−（Ｃ１〜Ｃ４アルキル）グルカミンサルフェート、Ｃ５〜Ｃ１７アシル−Ｎ−（Ｃ１〜Ｃ４ヒドロキシアルキル）グルカミンサルフェート、ナトリウムヒドロキシエチル−２−デシルエーテルサルフェート、ナトリウムメチル−２−ヒドロキシデシルエーテルサルフェート、ナトリウムヒドロキシエチル−２−ドデシルエーテルサルフェート、ナトリウムモノエトキシル化ラウリルアルキルサルフェート、Ｃ１２〜Ｃ１８アルキルスルホネート、エトキシル化または天然の直鎖状および分枝状Ｃ１２〜Ｃ１８アルコールサルフェート、エトキシル化または天然の直鎖および分枝Ｃ１２〜Ｃ１８アルコールサルフェート、エトキシル化または天然の直鎖および分枝Ｃ１２〜Ｃ１８アルコールサルフェート、およびそれらの混合物を包含する。上のアニオン性界面活性剤はまた、それらの中和されていない酸形態でも使用されてもよい。      
【０２１８】
典型的な非イオン性界面活性剤は、約１〜１２個のエチレンオキシド単位をもつＣ６〜Ｃ２４アルキルエトキシレートを包含する。脂肪族アルコールのアルキル鎖は、直鎖状または分枝状、一級または二級のいずれかであり得、一般に約６〜約２２個の炭素原子を含有する。非イオン性界面活性剤のさらなる例は、Ｃ１２〜Ｃ１６アルキルＮ−メチルグルカミドなどの、脂肪酸とグルカミンとの縮合生成物、および／または脂肪酸とエトキシル化アミンとの縮合生成物；Ｃ１０〜Ｃ２０アルキルモノまたはジアルカノールアミド（ここでアルキルオキシ基は、１〜３個の炭素原子を有する）、アルキル部分とアルカノールアミド部分との間に２〜２０個のアルキレンオキシド基を有する中間体ポリオキシアルキレン部分を有するＣ１０〜Ｃ２０アルキルモノまたはジアルカノールアミド；アルキルアミドプロピルジメチルアミン；オレイン酸、ミリスチン酸、ステアリン酸、パルミチン酸等とのソルビトールエステルなどの脂肪酸アルキルエステル（これはまた、Tween 20、Tween 40、およびTween 60などの商標でも知られている）；例えばＣ８〜Ｃ１０アルキルポリグリコシド、Ｃ１２〜Ｃ１６アルキルポリグリコシド、Ｃ５アミルを包含するアルキルポリグリコシド、を包含する。
【０２１９】
さらなる非イオン性界面活性剤は、オクタン酸ヘキサグルセリルエステル、デカン酸テトラグルセリルエステル、リシノール酸ヘキサグルセリルエステルおよびココイック酸(cocoic acid)テトラグルセリルエステルおよびそれらの混合物と同類の脂肪酸ポリグルセリルエステルなどの、グリセロールをベースとした界面活性剤を包含する。糖をベースとした非イオン性の界面活性剤について、本明細書の上で使用されるときの用語「アルキル」は、ヘキシル、オクチル、デカニル、ドデカニル、テトラデカニル、ヘキサデカニルおよびオクタデカニルを包含する、３〜２１個の炭素原子を有する飽和直鎖アルキル残基を指す。
【０２２０】
典型的な両性イオン性界面活性剤は、これらに限定されないが、直鎖または分枝のアルキル、またはアルケニル、またはヒドロキシルアルキルまたはアルコキシのラジカルを有する、脂肪族四級アンモニウム、ホスホニウムおよびスルホニウム化合物の誘導体を包含し、これらの一方は、約８〜約１８個の炭素原子を有し、これらの他方は、カルボキシル、スルホネート、サルフェート、スクシネート、ホスフェートまたはホスホネート基から選択されるアニオン性基を含有する。アルコキシラジカルは、典型的に約１〜約１０個のエチレンオキシド部分または約１〜約３個のグリセリル部分を包含する。ヒドロキシルアルキルラジカルは、典型的に１〜３個の炭素原子を有するアルキロール部分を含む。
【０２２１】
特定のクラスの両性イオン性界面活性剤は、少なくとも１つのメチレン基によって分離された、四級化カチオン性アンモニウム基およびアニオン性カルボキシレート基を含むベタインを包含し、例えば、ココジメチルカルボキシメチルベタイン、ラウリルジメチルカルボキシメチルベタイン、ラウリルジメチルアルファカルボキシエチルベタイン、セチルジメチルカルボキシメチルベタイン、オレイルジメチルガンマカルボキシプロピルベタイン、ラウリルおよびステアリルビス−（２−ヒドロキシエチル）カルボキシメチルベタイン、オレイルジメチルガンマカルボキシプロピルベタイン、およびラウリルビス−（２−ヒドロキシプロピル）アルファカルボキシエチルベタインである。
【０２２２】
他のベタインは、アミドアルキル、スルホアルキルおよびアルキルアミドスルホベタイン（ここでアルキル部分は典型的には、エチルまたはプロピル部分である）、例えば、ココアミドプロピルベタイン、ココジメチルスルホプロピルベタイン、ラウリルジメチルスルホエチルベタイン、ラウリルビス−（２−ヒドロキシエチル）スルホプロピルベタイン等を包含する。別の特定のクラスの両性イオン性界面活性剤は、スルタイン、ヒドロキシスルタインおよびアミドプロピルヒドロキシスルタインを包含する。
【０２２３】
典型的な両性イオン性および半極性の界面活性剤は、Ｃ１０〜Ｃ１８アルキルジメチルアミンオキシドおよびＣ８〜Ｃ１２アルコキシエチルジヒドロキシエチルアミンオキシド（ＮＮ−ジヒドロキシエチル−Ｎ−ステアラミンオキシドなど）、エトキシル化ラウラミドおよびラウリルジメチルアミンオキシド（またラウラミンオキシド（「ＬＯ」の名称としても知られている））、およびアルキルアンホカルボキン酸（ジナトリウムココアンホジアセテートなど）などの、水溶性アミンオキシドを包含する。
【０２２４】
液体または固体の洗濯用洗剤組成物は、例えば、パウチまたはポッドなどの水溶解可能なパッケージングに含有される単回の単位用量の形態で提供されてもよい。これらの製品が、単回用量であり、相対的に小さいサイズ（典型的に約１０〜２０ｍｌ体積）であるので、それらは、相対的に低用量の洗剤組成物で提供され、さらに、洗剤を入れているパッケージングが水溶性であるか、または少なくとも水中で容易に崩壊するので、組成物は、必然的に小体積の高度に濃縮された界面活性剤を含有し、したがってマイクロカプセルを組み込むための極めて攻撃性の媒体である。
【０２２５】
洗濯用の、洗濯用の追加のおよび／または布調整用の組成物を含むパウチにおいて、組成物は、以下の非限定列挙の成分の１つ以上を含んでもよい：布用仕上げ補助(fabric care benefit agent)剤；洗浄酵素；堆積助剤；レオロジー修正剤；混和剤(builder)；漂白剤(bleach)；漂白剤(bleaching agent)；漂白前駆体；漂白ブースター；漂白触媒；ポリグリセロールエステル；白色剤；真珠光沢剤；酵素安定化系；アニオン性染料のための固定剤、アニオン性界面活性剤のための錯化剤、およびそれらの混合物を包含する除去薬；光学的光沢剤または蛍光剤；これらに限定されないが、土壌放出ポリマーおよび／または土壌懸濁ポリマーを包含するポリマー；分散剤；消泡剤；非水性溶媒；脂肪酸；泡立ち抑制剤、例として、シリコーン泡立ち抑制剤（参照：米国公開No. 2003/0060390 A1、¶６５〜７７）；カチオン性デンプン（参照：US 2004/0204337 A1およびUS 2007/0219111 A1）；スカム分散剤（参照：US 2003/0126282 A1）；直接染料；ヒューイング染料（参照：US 2014/0162929A1）；着色剤；乳白剤；酸化防止剤；トルエンスルホネート、クメンスルホネートおよびナフタレンスルホネートなどのヒドロトロープ；色斑点；着色ビーズ、球または押し出し成形品；粘土柔軟剤；抗細菌剤。加えてまたは代わりに、組成物は、界面活性剤、四級アンモニウム化合物および／または溶媒系を含んでもよい。
【０２２６】
洗剤組成物は、約１重量％〜８０重量％の界面活性剤を含み得る。利用される洗浄用界面活性剤剤(Detersive surfactants)は、アニオン性、非イオン性、両性イオン性またはカチオン性タイプであり得るか、またはこれらのタイプの相溶性混合物を含み得る。より好ましい界面活性剤は、アニオン性、非イオン性、カチオン性界面活性剤およびこれらの混合物からなる群から選択される。本明細書において有用な洗浄界面活性剤(Detergent surfactants)は、米国特許3,664,961；3,919,678；4,222,905；および4,239,659に記載されている。アニオン性および非イオン性の界面活性剤が、好ましい。有用なアニオン性、非イオン性、両性イオン性またはカチオン性タイプの界面活性剤は、上に記載されたものである。
【０２２７】
洗濯用洗剤組成物は、約６〜約１０、約６．５〜約８．５、約７〜約７．５、または約８〜約１０のｐＨを有してもよく、ここで洗剤のｐＨは、２０±２℃での洗剤の水性１０％（重量／体積）溶液のｐＨとして定義される。
【０２２８】
本発明の尚別の態様において、消費者製品は、シャンプー、ヘアコンディショナーおよびパーソナルクレンジング組成物などのパーソナルケア製品である。シャンプーおよびヘアコンディショナー調剤および成分の例は、米国特許6,162,423；5,968,286；5,935,561；5,932,203；5,837,661；5,776,443；5,756,436；5,661,118；および5,618,523に記載されている。
【０２２９】
毛髪クレンジング組成物−シャンプー−は、アニオン性、非イオン性および／または両性イオン性の界面活性剤から選択される少なくとも１種の界面活性剤を、典型的には、組成物の総重量に基づいて、２〜６０ｗｔ％、より特定的には５〜５０ｗｔ％およびより特定的には５〜４０ｗｔ％の濃度範囲で含む。
【０２３０】
上に言及されたアニオン性、非イオン性および／または両性イオン性の界面活性剤のいずれも、毛髪クレンジング組成物に採用されてもよい。
アニオン性界面活性剤は、１から約３０ｗｔ％まで、特に２〜２５ｗｔ％および最も特に２〜２０ｗｔ％の量で存在してもよい。
【０２３１】
非イオン性界面活性剤は、総組成物に基づいて、約０．２５ｗｔ％から約５ｗｔ％まで、特に約０．５ｗｔ％〜約３．５ｗｔ％の量で採用されてもよい。
両性イオン性界面活性剤は、組成物の総重量に基づいて、約０．５重量％〜約１０重量％、より特定的には約１重量％〜約７．５重量％の量で採用されてもよい。
【０２３２】
本発明の毛髪調整用組成物は、リーブインまたはリンスオフのいずれかの組成物の形態であり得る。
好ましい界面活性剤は、非イオン性およびカチオン性のタイプであり、それらは、毛髪クレンジング組成物に関し上に言及された量で採用されてもよい。
【０２３３】
好適なカチオン性界面活性剤およびまたは調整剤(conditioning agents)は、例えば、セチルトリメチルアンモニウムクロリド、ミリストイルトリメチルアンモニウムクロリド、トリメチルセチルアンモニウムブロミド、ステアリルトリメチルアンモニウムクロリド、ジメチルステアリルアンモニウムクロリド、ジメチル二水素化タロウアンモニウムクロリド、ステアトリモニウムクロリド、ジパルミトイルジモニウムクロリド、ジステアリルジメチルアンモニウムクロリド、ステアラミドプロピルトリモニウムクロリドおよびジオレオイルエチルジメチルアンモニウムメトサルフェートなどの、単独で、または互いに混和されて使用され得る長鎖四級アンモニウム化合物である。
【０２３４】
特に有用なのは、いわゆるエステルクワットであるが、これは、「Schercoquat TM」、「Dehyquart TM F30」および「Tetranyl TM」の商標で利用可能なものなどの、周知の商業用成分である。ヘアケア組成物におけるエステルクワットの使用は、例えばWO-A 93/107 48、WO-A 92/068 99およびWO-A 94/166 77に記載されている。
【０２３５】
毛髪調整用組成物は、調整剤としてカチオン性ポリマーを含有してもよい。カチオン性調整剤は、これらに限定されないが、Polyquaternium 10などのセルロースタイプポリマー、またはグアーヒドロキシプロピルトリモニウムクロリドなどのカチオン性グアーガムを包含する。他のカチオン性調整剤は、キトサンおよびキチンなどの天然のカチオン性ポリマーを包含する。
【０２３６】
他のポリマーは、Polyquaternium 6、Polyquaternium 7、Polyquaternium 10、Polyquaternium 11、Polyquaternium 16、Polyquaternium 22およびPolyquaternium 28、Polyquaternium 30、Polyquaternium 37、Polyquaternium 36、およびPolyquaternium 46を包含する。尚さらに、Quaternium-8、Quaternium-14、Quaternium-15、Quaternium-18、Quaternium-22、Quatemium-24、Quaternium-26、Quaternium-27、Quatemium-30、Quatemium-33、Quaternium-53、Quatemium-60、Quaternium-61、Quaternium-72、Quatemium-78、Quaternium-80、Quaternium-81、Quaternium-81、Quaternium-82、Quaternium-83およびQuatemium-84。様々なカチオン性ポリマーの混合物を使用することもまた、可能である。
【０２３７】
カチオン性ポリマーはまた、例えばEP-A 524 612およびEP-A 640 643に記載されるとおり、オルガノポリシロキサンおよびポリエチルオキサゾリンからのグラフトポリマーの四級化生成物も包含してもよい。
典型的には、毛髪調整用組成物は、組成物の総重量に基づいて、該調整剤の０．０１ｗｔ％と７．５ｗｔ％との間、好ましくは０．０５ｗｔ％〜５ｗｔ％を含有してもよい。
【０２３８】
他の調整剤は、Dow Comingから利用可能な一連のDC fluid(the DC fluid ranges)などの、ジメチコン、ジメチコノール、ポリジメチルシロキサンを包含する、揮発性または不揮発性シリコーン油を包含してもよい。また好適なのは、オリーブオイル、アーモンドオイル、アボカド油、トウゴマ油、ココナッツ油、ヤシ油、胡麻油、落花生油、鯨油、ヒマワリ油、杏仁油、小麦麦芽油、マカダミアナッツ油、夜サクラソウ油、ホホバ油、ヒマシ油または大豆油、ラノリンおよびこれらの誘導体などの天然油、ならびにパラフィン油およびワセリンなどの鉱油もある。
【０２３９】
非イオン性調整剤は、、例えばグリセリン、グリコールおよび誘導体などのポリオール、Carbowax PEG（Union Carbideから）および一連のPolyox WSR（Amercholから）の商標で知られているポリエチレングリコール、ポリグリセリン、ポリエチレングリコールモノまたはジ脂肪酸エステルであってもよい。
【０２４０】
上に述べられた追加の非カチオン性調整剤のいずれについての典型的な濃度範囲は、組成物の総重量に基づいて０．０１ｗｔ％〜１５ｗｔ％であり得る。
それらは加えて、少なくとも１種の飽和または不飽和の脂肪アルコールを含有してもよい。脂肪アルコールは、これらに限定されないが、ミリスチルアルコール、パルミチルアルコール、セチルアルコール、ステアリルアルコール、ベヘニルアルコールおよびこれらの混合物を包含する。脂肪アルコールの濃度は、組成物の総重量に基づいて２０ｗｔ％未満であってもよい。
コンディショナー組成物は、US 2015/0157550に開示されており、これは、参照によって本明細書に組み込まれる。
【０２４１】
本発明の尚別の態様において、消費者製品は、香り付け剤であり得る。香り付け剤製品は、液体または固体の製品であり得る。それらは、それらがいかなる活性剤、例えば界面活性剤をも含まないことを特徴とする；それらは、単に香料組成物にカプセル封入された形態、および任意にまた遊離の香料油の形態における懸濁媒体を提供する。香り付け剤製品中のカプセル封入された香料組成物に特に好適な懸濁媒体は、ポリエチレングリコール（ＰＥＧ）である。ＰＥＧは、５，０００〜１１，０００、より特定的には約８，０００の分子量を有し得る。
【０２４２】
香り付け剤製品は、US 7,867,968に開示されており、それを、その全体において本明細書中に組み込む。
【０２４３】
香り付け剤製品が活性剤、例えば界面活性剤を含まないという事実を与えられて、安定性の問題は発生せず、したがってカプセル封入された香料組成物をかかる製品中に組み込ませる調合者の自由度は、より大きい。したがって、香り付け剤製品は、より広い濃度範囲の香料を含んでもよい。特に、カプセル封入された香料組成物を、香り付け剤製品に、消費者製品に消費者製品の重量に基づいて約５ｗｔ％までの香料組成物を提供するレベルで適用してもよい。
【０２４４】
ここで、本発明の態様を例示する役割を果たす一連の例を、後続させる。これらの例は例示的であり、本発明はそれに限定されると考慮するべきではないことは、理解されるだろう。
【０２４５】
例１
両性コポリマーコロイド安定剤の調製
本発明のポリマーを、以下のプロトコルを使用して得る。例を、アクリル酸／ＭＡＰＴＡＣコポリマーで行う。このポリマーを生産するために、以下の化合物を反応器中に導入する：
４６４ｇのＭＡＰＴＡＣ（水中５０％）
３４．４ｇのアクリル酸（水中９０％）
１１９ｇの水
０．０３ｇのＥＤＴＡ
０．１４ｇの次亜リン酸ナトリウム
【０２４６】
反応媒体のｐＨを、ＮａＯＨを使用することにより５．０〜５．２に調整する。
５３ｇの２，２’−アゾビス（２−アミジノプロパン）二塩酸塩（水中１０％）をまた、反応器中に導入する。
【０２４７】
反応媒体を、１時間の間８５℃で維持する。次に、１．３ｇの重亜硫酸ナトリウム溶液（水中４０％）を、反応器中で１回で加える。１時間の経時変化(aging)の後、生成物を、２５５ｇの水を加えることにより希釈する。
【０２４８】
本発明によるカプセル封入された香料組成物の調製
１キログラムのカプセル封入された香料組成物スラリーを、以下の方法に従って形成する：
反応器を、２０℃の温度に設定し、脱イオン水（５５０ｇ）；架橋剤としてのレゾルシノール（１０ｇ）；上に記載した方法に従って調製した正に荷電されたポリマーコロイド安定剤（２ｇ）；およびメラミンホルムアルデヒド前縮合物（Luracoll SD）（５ｇ）を、投入する。撹拌速度を、４００ｒｐｍに設定する。この段階で、香料組成物（３００ｇ）を加える。
【０２４９】
コアセルベーションを、以下の方式において施行する：ギ酸（１０％）を加え、混合物を３５℃で１時間撹拌する。次に、反応器温度を、９０℃に１時間上昇させる。
【０２５０】
最後に、混合物を冷却する。冷却した混合物を１時間撹拌した後に、カプリリルグリコール（４ｇ）およびフェノキシエタノール（４ｇ）を、加える。カチオン性懸濁剤（Flosoft FS222）を、混合物に３０分の間にわたって撹拌下で加える。最後に、スラリーのｐＨを、アンモニアの量（１ｇ）を加えることにより５．７〜６．７のｐＨ範囲に調整する。その後、カプセル封入された香料組成物のスラリーを、反応器から排出する。
【０２５１】
例２ａ
アニオン性ポリマー安定剤（Lupasol PA 140）を使用した比較のカプセル封入された香料組成物の調製
１キログラムのカプセル封入された香料組成物スラリーを、以下の方法に従って生成する：
反応器を、２０℃の温度に設定し、脱イオン水（５５０ｇ）；架橋剤としてのレゾルシノール（１０ｇ）；アニオン性ポリマーコロイド安定剤Lupasol PA 140（１０ｇ）；およびメラミンホルムアルデヒド前縮合物（Luracoll SD）（５ｇ）を、投入する。撹拌速度を、４００ｒｐｍに設定する。この段階で、香料組成物（３００ｇ）を加える。
【０２５２】
コアセルベーションを、以下の方式において施行する：ギ酸（１０％）を加え、混合物を１時間撹拌する。次に、反応器温度を、９０℃に１時間上昇させる。最後に、混合物を冷却する。冷却した混合物を１時間撹拌した後に、カプリリルグリコール（４ｇ）およびフェノキシエタノール（４ｇ）を、加える。最後に、スラリーのｐＨを、アンモニアの量（１ｇ）を加えることにより５．７〜６．７のｐＨ範囲に調整する。その後、カプセル封入された香料組成物のスラリーを、反応器から排出する。
【０２５３】
例２ｂ
上記の例１に記載した方法に従って調製し、ここでコポリマーを架橋の間に加える、両性コポリマーを使用した比較のカプセル封入された香料組成物の調製
反応器を、２０℃の温度に設定し、脱イオン水（５５０ｇ）；架橋剤としてのレゾルシノール（１０ｇ）；およびメラミンホルムアルデヒド前縮合物（Luracoll SD）（５ｇ）を、投入する。撹拌速度を、４００ｒｐｍに設定する。この段階において、香料組成物（３００ｇ）を加える。
【０２５４】
コアセルベーションを、以下の方式において施行する：ギ酸（１０％）を加え、混合物を３５℃で１時間撹拌する。反応器温度を、次に９０℃に上昇させ、当該温度で１時間保持して、架橋を行う。温度の上昇中に、反応器温度が６０℃に達した際に、正に荷電された両性コポリマー（２ｇ）を、混合物に加える。
【０２５５】
最後に、混合物を冷却する。冷却した混合物を１時間撹拌した後に、カプリリルグリコール（４ｇ）およびフェノキシエタノール（４ｇ）を、加える。カチオン性懸濁剤（Flosoft FS222）を、混合物に３０分の間にわたって撹拌下で加える。最後に、スラリーのｐＨを、アンモニアの量（１ｇ）を加えることにより５．７〜６．７のｐＨ範囲に調整する。その後、カプセル封入された香料組成物のスラリーを、反応器から排出する。
【０２５６】
得られたスラリーは、乏しい品質であった。Ｄ５０測定によって、凝集体の生成を示す広い粒度分布が示され、それらの多くは、実際に視認可能であった。
【０２５７】
例３
本発明のカプセル封入された香料組成物、および比較のカプセル封入された香料組成物（＠スラリーの０．５％）の、布用ソフナーの基剤中への組み込み。
以下の表は、比較の、および本発明のカプセル封入された香料組成物の体積平均直径（Ｄ５０）を示す。スラリーの形態において、例１のカプセル封入された香料組成物は、８ミクロンのＤ５０を有し、一方例２ａのものは、１１ミクロンのＤ５０を有する。しかしながら、それぞれの組成物を布用ソフナーの基剤中に組み込ませる場合、例２ａの比較の組成物は、凝集を形成すると見られ（Ｄ５０＝１００）、一方本発明の組成物のＤ５０は、実質的に不変であると見られ（Ｄ５０＝１１）、凝集を有しないことを示す。体積平均直径を、Malvern 2000S機器を使用した光散乱測定を採用することにより得る。
【０２５８】
【表６】
2018526477.tif 000060
【０２５９】
例４
マイクロカプセル上のゼータ電位が洗浄ステップの後でさえも安定であることを実証すること
懸濁液を、４９９．５ｇの水および０．５ｇの例１に従って調製したスラリーで調製する。懸濁液を、温和に５分間かきまぜて、それを均質化する。その後、２グラムの懸濁液を、緩衝溶液（ＫＨ２ＰＯ４／Ｎａ２ＨＰＯ４）８ｇ中に、ｐＨ７で加える。
【０２６０】
緩衝した溶液を、Zetasizer Nano Z機器（Malvern）の測定セルに加え、マイクロカプセルのゼータ電位を、溶液を通じて６３３ｎｍ波長にレーザーを向けることにより、いわゆる位相解析光散乱法によって測定する。機器によって、マイクロカプセル荷電の直接の読み取りが得られる。得られた値は、＋５０ｍＶであった。
【０２６１】
マイクロカプセルのゼータ電位の安定性を確認するために、上に記載した５グラムの懸濁液を、同一の量の蒸留水と混合した。混合物を配置し、２０００ｒｐｍで５分間遠心分離し、スピンして、水を除去する。ペレットを、さらに５グラムの水で再構成し、次に再び遠心分離した。洗浄および遠心分離ステップを、３回繰り返した。最後に、再懸濁した後、懸濁液を、上に記載した方式において緩衝し、ゼータ電位を、記載したように測定した。マイクロカプセルの調製において使用する正に荷電されたポリマーがマイクロカプセル中に良好に包埋されている場合、それが洗浄除去されず、ゼータ電位が依然として不変であるであろうことが、仮定された。またこれによって、測定されたゼータ電位が再び＋５０ｍＶであったので、そのような場合であると証明された。
【０２６２】
例５
本発明によるカプセル封入された香料組成物（例１）の、液体布用柔軟剤のベース中の例２の先行技術のカプセル封入された香料組成物（比較）と比較しての嗅覚的性能
カプセル封入された香料組成物のスラリー（基剤の重量に基づいたスラリーの０．５ｗｔ％）を、液体布用柔軟剤の基剤中に組み込ませた。テリー織のタオル地を、標準的なフロントロード型ＥＵ洗濯機中で、芳香付与されていない洗剤を使用して洗浄した。すすぎサイクル中に、タオルを、例１によるカプセル封入された香料組成物（本発明）を含む、および比較のカプセル封入された香料組成物（例２による）を含む布用柔軟剤で処置した。タオルを、洗濯機から取り出し、室温で２４ｈライン乾燥した。２４ｈで、タオルを折り畳み、専門家のパネリスト（１０人）によって嗅覚的に評価する。パネリストに、嗅覚的評価をするように依頼し、結果を、以下の表中に示す（０〜５の階級、より高い数は、最も強い嗅覚的性能を表す）。
【０２６３】
【表７】
2018526477.tif 000061
【０２６４】
当該例は、例１に従って形成したマイクロカプセルが例２に従って形成したものより優れていることを実証する。さらに、例１に従って形成した当該マイクロカプセルは、体積平均直径が比較的低い際により良好な性能を示す。
【０２６５】
例６
香料組成物のカプセル封入された香料組成物安定性に対する効果
５マイクロメートルのシリンジフィルターを通して前もってろ過された、１ｇの消費者製品基剤試料を、３０ｍｌのフラスコ中で正確に秤量した。１ｇのCelite 545を加え、試料と混和した。１０ｍｌのペンタンを、次に０．５ｍｇの内部標準（デカン酸メチル９９％ Aldrich ref 299030）と一緒に試料に加えた。全体を、マグネティックスターラーを使用して３０分間撹拌した。ペンタン相を次に除去し、２マイクロリットルのアリコートを、スプリットレス注入器およびフレームイオン化検出器を装備したガスクロマトグラフ（ＧＣ）中に注入した。ＧＣオーブンの最初の温度は７０℃であり、最終温度は２４０℃であり、加熱の速度を２℃／ｍｉｎに設定した。注入器の温度は、２５０℃であった。６０ｍ*０．２５μｍ*０．２５μｍの寸法をもつRTX1 GCカラムを使用した。
【０２６６】
表は、カプセル漏出分析からの結果を、RECON_VOLTAEおよびＰＲＯＣ値と共に要約する。
【０２６７】
【表８】
2018526477.tif 000062
【０２６８】
結果は、RECON_VOLTAE値の区分のマイクロカプセル漏出に対する効果を示す。さらに、結果はまた、様々な保存条件の下で安定であるのみならず、一方高いｔＰＲＯＣ値によって例示されるように尚拡散性である香料組成物を得ることが可能であることを示す。
【０２６９】
例７
一連の香料を、例１に記載したプロセスを使用することによりカプセル封入された。これらの場合において、RECON_VOLTAE値の区分および摩擦前の香りの総寄与分（tPROC）の両方を、変化させた。カプセル封入された香料組成物を、液体洗剤の基剤中に分散させた。洗浄試験を、３７℃で恒温フード中の１カ月の保存の後に、標準的なフロントロード型洗濯機および標準基体としてテリー織のタオル地を使用して行った。摩擦前の性能を、カプセルを破壊しないように注意して、乾燥タオル上でタオルの臭いをかぐことにより評価した。１０人の訓練されたパネリストのパネルを、使用した。評価スコアおよびカプセル封入された香料の特徴の両方を、以下の表に報告する。以下の相対的な階級を、使用した：１：ほとんど目立たない香り、２：中程度の香り強度、３：強い香りおよび４：極めて強い香り。
【０２７０】
【表９】
2018526477.tif 000063
【０２７１】
結果は、RECON_VOLTAE区分およびtPROC区分の両方の点において最適があることを示す。pPROCパラメーターの関連もまた、実証される。結果はまた、１７５０より高いRECON_VOLTAE値を有する高いレベルの成分は、保存中の漏出に対するカプセル耐久性に有益であるが、摩擦前の衝撃に対して有害な効果を有し得ることを示す。本例は、ＲＶ＞１７５０の成分を本発明のカプセル封入された香料組成物中で２０〜２５ｗｔ％より高いレベルで使用しないことが有利であることを教示する。
【国際調査報告】
2018526477.tif 000064
2018526477.tif 000065
2018526477.tif 000066